(57)【要約】【課題】様々な運用形態に柔軟に対応することができるようにする。【解決手段】サービスパッケージ部は、IP伝送方式を用いたデジタル放送の放送波に含まれる複数のサービスのうち、特定のサービスを構成する１又は複数のコンポーネント及び制御信号を、各パケットに含まれるIPアドレスを用い、サービス単位でパッケージ化して、パッケージ化されたコンポーネント及び制御信号を用い、所定の処理を行うことで、IP伝送方式を用いたデジタル放送において、様々な運用形態に柔軟に対応することができる。本技術は、例えばテレビジョン受像機に適用することができる。【選択図】図９
2015073244.tif 000002
【特許請求の範囲】
【請求項１】
IP(Internet Protocol)伝送方式を用いたデジタル放送の放送波を受信する受信部と、
前記放送波に含まれる複数のサービスのうち、特定のサービスを構成する１又は複数のコンポーネント及び制御信号を、各パケットに含まれるIPアドレスを用い、サービス単位でパッケージ化するパッケージ部と、
パッケージ化された前記コンポーネント及び前記制御信号を用い、所定の処理を行う処理部と
を備える受信装置。
【請求項２】
同一のサービスとしてパッケージ化される、前記コンポーネントのパケットと前記制御信号のパケットとは、同一のIPアドレスを有する
請求項１に記載の受信装置。
【請求項３】
前記パッケージ部は、IP伝送方式におけるプロトコルの階層のうち、IP層よりも上位の階層である第１の階層で用いられる前記制御信号をパッケージ化する
請求項２に記載の受信装置。
【請求項４】
IP層よりも下位の階層である第２の階層で用いられる前記制御信号は、ネットワークを識別するID，トランスポートストリームを識別するID，及び、サービスを識別するIDを含んでいる
請求項３に記載の受信装置。
【請求項５】
前記制御信号は、セクション形式で送出される
請求項４に記載の受信装置。
【請求項６】
前記パッケージ部は、複数の前記コンポーネントの同期をとるための時刻情報をさらに含むようにパッケージ化する
請求項５に記載の受信装置。
【請求項７】
前記時刻情報は、複数のサービスで共通に用いられる
請求項６に記載の受信装置。
【請求項８】
同一のサービスとしてパッケージ化される、前記コンポーネント及び前記制御信号のパケットと、前記時刻情報のパケットとは、異なるIPアドレスを有する
請求項７に記載の受信装置。
【請求項９】
前記第１の階層で用いられる前記制御信号は、特定のサービスを構成する前記コンポーネントに関する情報を含む
請求項３に記載の受信装置。
【請求項１０】
前記コンポーネントに関する情報は、UDPのポート番号を含み、
前記IPアドレスと前記ポート番号を用いたフィルタリングを行い、特定のサービスを構成する前記コンポーネントを抽出するフィルタ部をさらに備える
請求項９に記載の受信装置。
【請求項１１】
前記第１の階層で用いられる前記制御信号は、アプリケーションの制御情報を含む
請求項９に記載の受信装置。
【請求項１２】
前記第２の階層で用いられる前記制御信号は、複数のサービスごとにIPアドレスを対応付けた情報を含む
請求項４に記載の受信装置。
【請求項１３】
前記第２の階層で用いられる前記制御信号は、特定のサービスが放送中であるかを示す情報を含む
請求項１２に記載の受信装置。
【請求項１４】
所定のパケットのヘッダは、特定のサービスが放送中であるかを示す情報を配置している
請求項１２に記載の受信装置。
【請求項１５】
前記処理部は、パッケージ化された前記コンポーネント及び前記制御信号を記録部に記録する
請求項１に記載の受信装置。
【請求項１６】
前記処理部は、前記記録部に記録された前記コンポーネント及び前記制御信号を読み出して再生する
請求項１５に記載の受信装置。
【請求項１７】
前記処理部は、パッケージ化された前記コンポーネント及び前記制御信号を、他の電子機器に送信する
請求項１に記載の受信装置。
【請求項１８】
受信装置の受信方法において、
前記受信装置が、
IP伝送方式を用いたデジタル放送の放送波を受信し、
前記放送波に含まれる複数のサービスのうち、特定のサービスを構成する１又は複数のコンポーネント及び制御信号を、各パケットに含まれるIPアドレスを用い、サービス単位でパッケージ化し、
パッケージ化された前記コンポーネント及び前記制御信号を用い、所定の処理を行う
ステップを含む受信方法。
【請求項１９】
１又は複数のコンポーネントを取得するコンポーネント取得部と、
制御信号を取得する制御信号取得部と、
特定のサービスを構成する前記コンポーネントのパケットと前記制御信号のパケットとが同一のIPアドレスを有するように、IP伝送方式を用いたデジタル放送の放送波を送信する送信部と
を備える送信装置。
【請求項２０】
送信装置の送信方法において、
前記送信装置が、
１又は複数のコンポーネントを取得し、
制御信号を取得し、
特定のサービスを構成する前記コンポーネントのパケットと前記制御信号のパケットとが同一のIPアドレスを有するように、IP伝送方式を用いたデジタル放送の放送波を送信する
ステップを含む送信方法。
【発明の詳細な説明】
【技術分野】
【０００１】
本技術は、受信装置、受信方法、送信装置、及び、送信方法に関し、特に、様々な運用形態に柔軟に対応することができるようにした受信装置、受信方法、送信装置、及び、送信方法に関する。
【背景技術】
【０００２】
各国のデジタル放送の規格では、伝送形式としてMPEG2-TS（Moving Picture Experts Group phase 2-Transport Stream）方式が採用されている（例えば、特許文献１参照）。今後は、通信の分野で用いられているIP(Internet Protocol)パケットをデジタル放送に用いたIP伝送方式を導入することで、より高度なサービスを提供することが想定されている。
【先行技術文献】
【特許文献】
【０００３】
【特許文献１】特開２０１２−１５６７１２号公報
【発明の概要】
【発明が解決しようとする課題】
【０００４】
IP伝送方式を導入することで、多様なフォーマットのコンテンツを多様なデバイスに伝送することが可能となり、様々な運用形態を利用できるようになることが想定されるが、そのような運用形態に対応するための技術方式は確立されていない。
【０００５】
本技術はこのような状況に鑑みてなされたものであり、IP伝送方式を導入したデジタル放送において、様々な運用形態に柔軟に対応することができるようにするものである。
【課題を解決するための手段】
【０００６】
本技術の第１の側面の受信装置は、IP伝送方式を用いたデジタル放送の放送波を受信する受信部と、前記放送波に含まれる複数のサービスのうち、特定のサービスを構成する１又は複数のコンポーネント及び制御信号を、各パケットに含まれるIPアドレスを用い、サービス単位でパッケージ化するパッケージ部と、パッケージ化された前記コンポーネント及び前記制御信号を用い、所定の処理を行う処理部とを備える。
【０００７】
同一のサービスとしてパッケージ化される、前記コンポーネントのパケットと前記制御信号のパケットとは、同一のIPアドレスを有する。
【０００８】
前記パッケージ部は、IP伝送方式におけるプロトコルの階層のうち、IP層よりも上位の階層である第１の階層で用いられる前記制御信号をパッケージ化する。
【０００９】
IP層よりも下位の階層である第２の階層で用いられる前記制御信号は、ネットワークを識別するID，トランスポートストリームを識別するID，及び、サービスを識別するIDを含んでいる。
【００１０】
前記制御信号は、セクション形式で送出される。
【００１１】
前記パッケージ部は、複数の前記コンポーネントの同期をとるための時刻情報をさらに含むようにパッケージ化する。
【００１２】
前記時刻情報は、複数のサービスで共通に用いられる。
【００１３】
同一のサービスとしてパッケージ化される、前記コンポーネント及び前記制御信号のパケットと、前記時刻情報のパケットとは、異なるIPアドレスを有する。
【００１４】
前記第１の階層で用いられる前記制御信号は、特定のサービスを構成する前記コンポーネントに関する情報を含む。
【００１５】
前記コンポーネントに関する情報は、UDPのポート番号を含み、前記IPアドレスと前記ポート番号を用いたフィルタリングを行い、特定のサービスを構成する前記コンポーネントを抽出するフィルタ部をさらに備える。
【００１６】
前記第１の階層で用いられる前記制御信号は、アプリケーションの制御情報を含む。
【００１７】
前記第２の階層で用いられる前記制御信号は、複数のサービスごとにIPアドレスを対応付けた情報を含む。
【００１８】
前記第２の階層で用いられる前記制御信号は、特定のサービスが放送中であるかを示す情報を含む。
【００１９】
所定のパケットのヘッダは、特定のサービスが放送中であるかを示す情報を配置している。
【００２０】
前記処理部は、パッケージ化された前記コンポーネント及び前記制御信号を記録部に記録する。
【００２１】
前記処理部は、前記記録部に記録された前記コンポーネント及び前記制御信号を読み出して再生する。
【００２２】
前記処理部は、パッケージ化された前記コンポーネント及び前記制御信号を、他の電子機器に送信する。
【００２３】
受信装置は、独立した装置であってもよいし、１つの装置を構成している内部ブロックであってもよい。
【００２４】
本技術の第１の側面の受信方法は、本技術の第１の側面の受信装置に対応する受信方法である。
【００２５】
本技術の第１の側面の受信装置及び受信方法においては、IP伝送方式を用いたデジタル放送の放送波が受信され、前記放送波に含まれる複数のサービスのうち、特定のサービスを構成する１又は複数のコンポーネント及び制御信号が、各パケットに含まれるIPアドレスを用い、サービス単位でパッケージ化され、パッケージ化された前記コンポーネント及び前記制御信号を用い、所定の処理が行われる。
【００２６】
本技術の第２の側面の送信装置は、１又は複数のコンポーネントを取得するコンポーネント取得部と、制御信号を取得する制御信号取得部と、特定のサービスを構成する前記コンポーネントのパケットと前記制御信号のパケットとが同一のIPアドレスを有するように、IP伝送方式を用いたデジタル放送の放送波を送信する送信部とを備える。
【００２７】
送信装置は、独立した装置であってもよいし、１つの装置を構成している内部ブロックであってもよい。
【００２８】
本技術の第２の側面の送信方法は、本技術の第２の側面の送信装置に対応する送信方法である。
【００２９】
本技術の第２の側面の送信装置及び送信方法においては、１又は複数のコンポーネントが取得され、制御信号が取得され、特定のサービスを構成する前記コンポーネントのパケットと前記制御信号のパケットとが同一のIPアドレスを有するように、IP伝送方式を用いたデジタル放送の放送波が送信される。
【発明の効果】
【００３０】
本技術の第１の側面及び第２の側面によれば、様々な運用形態に柔軟に対応することができる。
【００３１】
なお、ここに記載された効果は必ずしも限定されるものではなく、本開示中に記載されたいずれかの効果であってもよい。
【図面の簡単な説明】
【００３２】
【図１】IP伝送方式のデジタル放送のプロトコルスタックを示す図である。
【図２】放送波の信号とIP伝送方式のID体系との関係を示す図である。
【図３】IP伝送方式のデジタル放送の放送波の構成を示す図である。
【図４】LLSの構成を示す図である。
【図５】MLSの構成を示す図である。
【図６】サービスチャンネルの概念を示す図である。
【図７】本技術を適用した放送システムの一実施の形態の構成を示す図である。
【図８】本技術を適用した送信装置の一実施の形態の構成を示す図である。
【図９】本技術を適用した受信装置の一実施の形態の構成を示す図である。
【図１０】Demuxにおける各パケットのフィルタリング処理の詳細を示す図である。
【図１１】基本的なシグナリング系統を説明するための図である。
【図１２】NRTサービスにおけるシグナリング系統を説明するための図である。
【図１３】ハイブリッドサービスにおけるシグナリング系統を説明するための図である。
【図１４】NITのデータ構造を示す図である。
【図１５】NITのループ内に配置される記述子の例を示す図である。
【図１６】Name_descriptorのデータ構造を示す図である。
【図１７】Service_list_decriptorのデータ構造を示す図である。
【図１８】ATSC3_delivery_system_descriptorのデータ構造を示す図である。
【図１９】Transport_stream_protocol_descriptorのデータ構造を示す図である。
【図２０】ESG_bootstrap_descriptorのデータ構造を示す図である。
【図２１】AMTのデータ構造を示す図である。
【図２２】SATのデータ構造を示す図である。
【図２３】SAT伝送用のパケットの例を示す図である。
【図２４】SAT_dataのデータ構造を示す図である。
【図２５】SMTのデータ構造を示す図である。
【図２６】SMTのループ内に配置される記述子の例を示す図である。
【図２７】初期スキャン処理を説明する図である。
【図２８】初期スキャン時に取得される情報の流れを説明する図である。
【図２９】初期スキャン時の受信装置の動作を示す図である。
【図３０】ESG取得処理を説明する図である。
【図３１】ESG取得時に取得される情報の流れを説明する図である。
【図３２】ESG取得時の受信装置の動作を示す図である。
【図３３】ダイレクト選局処理を説明する図である。
【図３４】ダイレクト選局時に取得される情報の流れを説明する図である。
【図３５】ダイレクト選局時の受信装置の動作を示す図である。
【図３６】ESG選局処理を説明する図である。
【図３７】ESG選局時に取得される情報の流れを説明する図である。
【図３８】ESG選局時の受信装置の動作を示す図である。
【図３９】ESG録画予約・実行処理を説明する図である。
【図４０】ESG録画予約・実行時に取得される情報の流れを説明する図である。
【図４１】ESG録画予約・実行時の受信装置の動作を示す図である。
【図４２】録画番組再生時の受信装置の動作を示す図である。
【図４３】NRT-ESG取得処理を説明する図である。
【図４４】NRT-ESG取得時の受信装置の動作を示す図である。
【図４５】NRTコンテンツ取得・再生処理を説明する図である。
【図４６】NRTコンテンツ取得・再生時に取得される情報の流れを説明する図である。
【図４７】NRTコンテンツ取得・再生時の受信装置の動作を示す図である。
【図４８】NRTコンテンツ取得・表示処理を説明する図である。
【図４９】NRTコンテンツ取得・表示時に取得される情報の流れを説明する図である。
【図５０】NRTコンテンツ取得・表示時の受信装置の動作を示す図である。
【図５１】アプリケーション取得・表示処理を説明する図である。
【図５２】アプリケーション取得・表示時に取得される情報の流れを説明する図である。
【図５３】アプリケーション取得・表示時の受信装置の動作を示す図である。
【図５４】送信処理を説明するフローチャートである。
【図５５】パッケージ録画処理を説明するフローチャートである。
【図５６】デパッケージ再生処理を説明するフローチャートである。
【図５７】コンピュータの構成例を示す図である。
【発明を実施するための形態】
【００３３】
以下、図面を参照しながら本技術の実施の形態について説明する。
【００３４】
＜本技術の概要＞
【００３５】
（プロトコルスタック）
図１は、IP伝送方式のデジタル放送のプロトコルスタックを示す図である。
【００３６】
図１に示すように、最も下位の階層は、物理層(Physical Layer)とされ、サービス（チャンネル）のために割り当てられた放送波の周波数帯域がこれに対応する。物理層に隣接する上位の階層は、GSE層とされる。GSE(Generic Stream Encapsulation)層は、下位に隣接する物理層と上位に隣接するIP層との対応付けを行うためのものである。なお、GSEは、DVB(Digital Video Broadcasting)の規格として採用されている。
【００３７】
IP層は、TCP/IPのプロトコルスタックにおけるIP(Internet Protocol)と同じものであり、IPアドレスによりIPパケットが特定される。IP層に隣接する上位階層はUDP層とされ、さらにその上位の階層は、RTP(Real-time Transport Protocol)，FLUTE(File Delivery over Unidirectional Transport) / ALC(Asynchronous Layered Coding Protocol) / LCT(Layered Coding Transport)とされる。すなわち、IP伝送方式のデジタル放送においては、UDP(User Datagram Protocol)のポート番号が指定されたパケットが送信され、例えばRTPセッションやFLUTEセッションが確立されるようになされている。なお、FLUTEの詳細は、RFC3926として規定されている。
【００３８】
FLUTE/ALC/LCTに隣接する上位階層は、fMP4(Fragmented MP4)とされ、さらに、RTP，fMP4に隣接する上位階層は、AV(Audio Video)，SubTitle，RealTimeEventとされる。ビデオデータ(Video)は、例えばHEVC(High Efficiency Video Coding)等の符号化方式により符号化されている。また、オーディオデータ(Audio)は、例えばAAC(Advanced Audio Coding)等の符号化方式により符号化されている。すなわち、ビデオデータやオーディオデータを、同期型のストリーム形式で伝送する場合には、RTPセッションが利用され、ビデオデータやオーディオデータを、非同期型のファイル形式で伝送する場合には、FLUTEセッションが利用される。
【００３９】
また、FLUTE/ALC/LCTの上位階層には、Interactive，Meta，etc.とされる。例えば、AVコンテンツに連動して実行されるアプリケーションのファイルを送る場合に、FLUTEセッションが利用される。
【００４０】
図１のプロトコルスタックの右側には、シグナリングとして、LLS，MLS，HLSが規定されている。LLS(Low Layer Signaling)は、低レイヤのシグナリングであって、GSE層の上位階層となる。例えば、LLSには、MPEG2-TS方式で用いられているnetwork_id，transport_stream_id，service_idの組み合わせ（以下、「トリプレット(Triplet)」という）と、セクション形式(Section Format)を採用することができる。
【００４１】
この場合には、LLSとして、トリプレットにより放送ネットワーク内のトランスポートストリーム構成とサービス構成を示しているNIT(Network Information Table)を伝送することができる。また詳細は後述するが、LLSとして、NITとともに、AMT(Address Map Table)を伝送することで、例えばサービス（チャンネル）を選局するための選局情報を得ることができる。さらに、LLSとして、SAT(Service Association Table)を伝送することで、特定のサービスがオンエア中（放送中）であるかどうかを判定することができる。
【００４２】
また、MLS(Middle Layer Signaling)は、中間レイヤのシグナリングであって、UDP層の上位階層となる。MLSを設けることで、迅速な選局処理が可能となる。例えば、MLSとしては、サービス単位で、サービス関連情報やコンポーネント情報を伝送するためのSCS(Service Channel Signaling)を採用することができる。SCSとしては、例えば、SMT(Service Map Table)やAIT(Application Information Table)等がセクション形式で伝送される。SMTは、サービス単位のサービス属性、コンポーネントの構成情報、コンポーネント属性、コンポーネントのフィルタ情報などを含んでいる。AITは、後述するハイブリッドサービスにおけるアプリケーションの制御情報である。
【００４３】
HLS(High Layers Signaling)は、高レイヤのシグナリング(又はアナウンスメント)であって、FLUTE/ALC/LCTの上位階層となる。例えば、HLSとして、FLUTEセッションにより、ESG(Electronic Service Guide：電子サービスガイド)のファイルを伝送することで、番組タイトルや開始時刻などを表示させることができる。
【００４４】
（本技術におけるID体系）
図２は、放送波の信号とIP伝送方式のID体系との関係を示す図である。
【００４５】
図２に示すように、6MHzの周波数帯域を有する放送波（放送ネットワーク(Network)）には、network_idが割り当てられている。各放送波には、transport_stream_idにより識別される、１又は複数のGSEストリーム(GSE Stream)が含まれている。GSEストリームは、GSEヘッダとペイロードからなる複数のGSEパケットにより構成される。
【００４６】
各GSEストリームには、service_idにより識別される複数のサービス(Service)が含まれている。各サービスは、複数のコンポーネント(Component)から構成されている。各コンポーネントは、例えば、ビデオデータやオーディオデータ等の番組を構成する情報である。
【００４７】
このように、IP伝送方式のID体系として、MPEG2-TS方式と同様にトリプレットを採用して、network_id，transport_stream_id，service_idの組み合わせを用いることで、現在広く普及しているMPEG2-TS方式との整合をとることができるため、例えば、MPEG2-TS方式からIP伝送方式への移行時のサイマルキャストに容易に対応することが可能となる。
【００４８】
なお、service_idに対応する識別情報として、メジャーチャンネル番号とマイナーチャンネル番号を用いた運用を行っている場合には、16ビットのservice_idのうち、上位の8ビットを、メジャーチャンネル番号の8ビットに、下位の8ビットを、マイナーチャンネル番号の8ビットにそれぞれ割り当てることで、そのような運用にも対応することができる。
【００４９】
（IP伝送方式の放送波の構成）
図３は、IP伝送方式のデジタル放送の放送波の構成を示す図である。
【００５０】
図３に示すように、6MHzの周波数帯域を有する放送波(図中の「Network」)から、１又は複数のトランスポートストリーム(Transport Stream)と、LLSを取得することができる。また、各トランスポートストリームから、NTP(Network Time Protocol)、複数のサービスチャンネル(Service Channel)、電子サービスガイド(ESG Service)を取得することができる。NTPは、時刻情報であって、複数のサービスチャンネルで共通のものとなる。
【００５１】
各サービスチャンネルには、ビデオデータやオーディオデータ等のコンポーネント(Component)と、AMTやAIT等のSCSが含まれる。また、各サービスチャンネルには、固定のIPアドレスが付与されており、このIPアドレスを用いて、サービスチャンネルごとに、コンポーネントや制御信号などをパッケージ化することができる。
【００５２】
なお、図３において、トランスポートストリーム(Transport Stream)は、図２のGSEストリーム(GSE Stream)に相当するものであって、以下の説明で、トランスポートストリームと記述した場合には、GSEストリームを意味するものとする。また、サービスチャンネル(Service Channel)は、図２のサービス(Service)に相当し、コンポーネント(Component)は対応している。
【００５３】
（LLSの構成）
図４は、LLSの構成を示す図である。
【００５４】
図４に示すように、GSEパケットは、GSEヘッダとペイロードから構成される。GSE層の上位階層がIP層となる場合には、ペイロードの部分がIPパケットとなる。LLSは、GSE層の上位階層となるが、セクション形式で伝送されるため、GSEヘッダの次に配置される。LLSとしては、例えば、NIT，AMT，SATを配置することができる。
【００５５】
なお、GSEヘッダには、2ビットのタイプ情報が含まれており、そのタイプ情報によって、GSEパケットがIPパケットであるか、LLSであるかを区別することができる。
【００５６】
（MLSの構成）
図５は、MLSの構成を示す図である。
【００５７】
図５に示すように、例えば、ビデオデータやオーディオデータを、同期型のストリーム形式で伝送する場合には、RTPセッションが利用されるため、GSE，IP，UDP，RTPの各ヘッダがペイロードに付加されている。また、fMP4やESG等のファイルデータを、非同期型のファイル形式で伝送する場合には、FLUTEセッションが利用されるため、GSE，IP，UDP，LCTの各ヘッダがペイロードに付加されている。さらに、NTPは、UDP層の上位階層となるため、GSE，IP，UDPの各ヘッダの次に配置される。
【００５８】
MLSは、UDP層の上位階層となるが、セクション形式で伝送されるため、GSE，IP，UDPの各ヘッダの次に配置される。MLS(SCS)としては、例えば、SMTやAITを配置することができる。
【００５９】
（サービスチャンネルの概念）
図６は、サービスチャンネル(SC：Service Channel)の概念を示す図である。
【００６０】
図６に示すように、コンテンツ提供事業者(Content Provider)により制作されたコンテンツを、地上波放送局(Local Terrestrial Broadcaster)に提供する際に、同一のIPアドレスとなる、コンポーネントや制御信号などをパッケージ化することで、サービスチャンネル単位で提供されるようにする。また、地上波放送局は、CATV事業者、衛星放送事業者(Satellite)、IPTV事業者、オペレータ(Operators)などに対しても、サービスチャンネルが提供されるようにする。なお、CATV事業者等は、例えば、サービスチャンネルにアプリケーションを追加するなどして、再パッケージ化を行うこともできる。
【００６１】
受信機(Receiver)は、地上波放送局やCATV等から送信される、サービスチャンネルを受信する。受信機は、サービスチャンネルの映像をディスプレイに表示するとともに、その映像に対応する音声をスピーカから出力する。また、受信機は、家庭内に構築されたホームネットワークに接続されたホームサーバ(Home Server)や外部装置(2nd Screen Device)などに対して、サービスチャンネルを送信することができる。これにより、ホームサーバには、受信機からのサービスチャンネルが蓄積されることになる。また、外部装置では、受信機からのサービスチャンネルの映像がディスプレイに表示され、その映像に対応する音声がスピーカから出力されることになる。
【００６２】
このように、同一のIPアドレスとなる、ビデオデータやオーディオデータ、制御信号等のサービスの構成要素の信号をパッケージ化することで、サービスチャンネル（サービス）単位で、データを取り扱うことができるので、例えばサービスチャンネルに対してアプリケーションを容易に追加できるなど、様々な運用形態に柔軟に対応することができる。
【００６３】
＜放送システムの構成例＞
【００６４】
図７は、本技術を適用した放送システムの一実施の形態の構成を示す図である。
【００６５】
図７に示すように、放送システム１は、送信装置１０、受信装置２０、ホームサーバ３０、外部装置４０、アプリケーションサーバ５０、及び、配信サーバ６０から構成される。受信装置２０、ホームサーバ３０、及び、外部装置４０は、住宅２内に設置されており、ホームネットワーク７０を介して相互に接続されている。また、受信装置２０と、アプリケーションサーバ５０及び配信サーバ６０は、インターネット９０を介して相互に接続されている。
【００６６】
送信装置１０は、テレビ番組等の放送コンテンツを、IP伝送方式を用いたデジタル放送の放送波によって送信する。
【００６７】
受信装置２０は、送信装置１０から送信された放送信号を受信して、放送コンテンツの映像と音声を取得する。受信装置２０は、放送コンテンツの映像をディスプレイに表示するとともに、その映像に同期した音声をスピーカから出力する。なお、受信装置２０は、ディスプレイやスピーカを含んで単体として構成されるようにしてもよいし、テレビジョン受像機やビデオレコーダ等に内蔵されるようにしてもよい。
【００６８】
受信装置２０は、ホームネットワーク７０を介してホームサーバ３０との間で、各種のデータをやりとりする。ホームサーバ３０は、ホームネットワーク７０を介して、受信装置２０から送信されるデータを受信して記録したり、受信装置２０からの要求に応じてデータを提供したりする。
【００６９】
また、受信装置２０は、ホームネットワーク７０を介して外部装置４０との間で、各種のデータをやりとりする。外部装置４０は、ホームネットワーク７０を介して受信装置２０から送信されるデータを受信して表示する。
【００７０】
アプリケーションサーバ５０は、放送コンテンツに連動して実行されるアプリケーションを管理している。アプリケーションサーバ５０は、インターネット９０を介して、受信装置２０からの要求に応じて、アプリケーションを提供する。受信装置２０は、アプリケーションサーバ５０からのアプリケーションを、放送コンテンツに連動して実行させる。
【００７１】
配信サーバ６０は、放送済の放送番組や公開済みの映画などの通信コンテンツを、VOD（Video On Demand）により提供する。受信装置２０は、インターネット９０を介して配信サーバ６０から配信される通信コンテンツを受信する。受信装置２０は、通信コンテンツの映像をディスプレイに表示するとともに、その映像に同期した音声をスピーカから出力する。
【００７２】
放送システム１は、以上のように構成される。
【００７３】
（送信装置の構成例）
図８は、本技術を適用した送信装置の一実施の形態の構成を示す図である。
【００７４】
図８に示すように、送信装置１０は、ビデオデータ取得部１１１、ビデオエンコーダ１１２、オーディオデータ取得部１１３、オーディオエンコーダ１１４、字幕データ取得部１１５、字幕エンコーダ１１６、制御信号取得部１１７、制御信号処理部１１８、ファイルデータ取得部１１９、ファイル処理部１２０、Mux１２１、及び、送信部１２２から構成される。
【００７５】
ビデオデータ取得部１１１は、内蔵するHDD（Hard Disk Drive）や外部のサーバ、カメラ等から、ビデオデータを取得し、ビデオエンコーダ１１２に供給する。ビデオエンコーダ１１２は、ビデオデータ取得部１１１から供給されるビデオデータを、MPEG等の符号化方式に準拠して符号化し、Mux１２１に供給する。
【００７６】
オーディオデータ取得部１１３は、内蔵するHDDや外部のサーバ、マイクロフォン等からオーディオデータを取得し、オーディオエンコーダ１１４に供給する。オーディオエンコーダ１１４は、オーディオデータ取得部１１３から供給されるオーディオデータを、MPEG等の符号化方式に準拠して符号化し、Mux１２１に供給する。
【００７７】
字幕データ取得部１１５は、内蔵するHDDや外部のサーバ等から字幕データを取得し、字幕エンコーダ１１６に供給する。字幕エンコーダ１１６は、字幕データ取得部１１５から供給される字幕データを、所定の符号化方式に準拠して符号化し、Mux１２１に供給する。
【００７８】
制御信号取得部１１７は、内蔵するHDDや外部のサーバ等から、NITやSMT等の制御信号を取得し、制御信号処理部１１８に供給する。制御信号処理部１１８は、制御信号取得部１１７から供給される制御信号に対し、所定の信号処理を施し、Mux１２１に供給する。
【００７９】
ファイルデータ取得部１１９は、非同期型のファイル形式のデータを伝送する場合には、内蔵するストレージや外部のサーバ等から、例えばNRTコンテンツやアプリケーション等のファイルデータを取得し、ファイル処理部１２０に供給する。ファイル処理部１２０は、ファイルデータ取得部１１９から供給されるファイルデータに対して、所定のファイル処理を施し、Mux１２１に供給する。例えば、ファイル処理部１２０は、ファイルデータ取得部１１９により取得されたファイルデータをFLUTEセッションにより伝送するためのファイル処理を行う。
【００８０】
Mux１２１は、ビデオエンコーダ１１２からのビデオデータ、オーディオエンコーダ１１４からのオーディオデータ、字幕エンコーダ１１６からの字幕データ、制御信号処理部１１８からの制御信号、及び、ファイル処理部１２０からのファイルデータを多重化してIP伝送形式のストリームを生成し、送信部１２２に供給する。送信部１２２は、Mux１２１から供給されるストリームを放送信号として、アンテナ１２３を介して送信する。
【００８１】
（受信装置の構成例）
図９は、本技術を適用した受信装置の一実施の形態の構成を示す図である。
【００８２】
図９に示すように、受信装置２０は、チューナ２１２、Demux２１３、クロック発生器２１４、ビデオデコーダ２１５、ビデオ出力部２１６、オーディオデコーダ２１７、オーディオ出力部２１８、字幕デコーダ２１９、FLUTE処理部２２０、ストレージ２２１、制御信号処理部２２２、NVRAM２２３、サービスパッケージ部２２４、通信I/F２２５、ブラウザ２２６、及び、ストリーミング処理部２２７から構成される。
【００８３】
チューナ２１２は、アンテナ２１１により受信された放送信号から、選局が指示されたサービスの放送信号を抽出して復調し、その結果得られるIP伝送形式のストリームを、Demux２１３に供給する。
【００８４】
Demux２１３は、チューナ２１２から供給されるIP伝送形式のストリームを、ビデオデータ、オーディオデータ、字幕データ、及び、セクションデータなどに分離して、後段のブロックに出力する。具体的には、Demux２１３は、GSEフィルタ２５１、IPフィルタ２５２、UDPフィルタ２５３、及び、セクションフィルタバンク２５４から構成される。GSEフィルタ２５１は、GSEヘッダに基づいて、フィルタリング処理を行い、LLSをセクションフィルタバンク２５４に供給する。
【００８５】
IPフィルタ２５２は、IPヘッダに基づいて、フィルタリング処理を行う。また、UDPフィルタ２５３は、UDPヘッダに基づいて、フィルタリング処理を行う。IPフィルタ２５２及びUDPフィルタ２５３によるフィルタリング処理によって、NTPはクロック発生部２１４に供給され、MLSはセクションフィルタバンク２５４に供給される。さらに、ビデオデータ、オーディオデータ、字幕データは、ビデオデコーダ２１５、オーディオデコーダ２１７、字幕デコーダ２１９にそれぞれ供給される。また、各種のファイルデータは、FLUTE処理部２２０に供給される。
【００８６】
セクションフィルタバンク２５４は、Sectionヘッダに基づいて、フィルタリング処理を行い、LLSとMLSを適宜、制御信号処理部２２２に供給する。また、IPフィルタ２５２は、IPアドレスによるフィルタリング処理を行い、同一のIPアドレスとなるコンポーネント(Audio/Video)、及び、制御信号(MLS)などと、時刻情報(NTP)を、サービスパッケージ部２２４に供給する。
【００８７】
クロック発生器２１４は、Demux２１３から供給されるNTPに基づいて、クロック信号を生成し、ビデオデコーダ２１５、オーディオデコーダ２１７、及び、字幕デコーダ２１９に供給する。
【００８８】
ビデオデコーダ２１５は、クロック発生器２１４から供給されるクロック信号に基づいて、Demux２１３から供給されるビデオデータを、ビデオエンコーダ１１２（図８）に対応する復号方式で復号して、ビデオ出力部２１６に供給する。ビデオ出力部２１６は、ビデオデコーダ２１５から供給されるビデオデータを、後段のディスプレイ（不図示）に出力する。これにより、ディスプレイには、例えば、テレビ番組の映像などが表示される。
【００８９】
オーディオデコーダ２１７は、クロック発生器２１４から供給されるクロック信号に基づいて、Demux２１３から供給されるオーディオデータを、オーディオエンコーダ１１４（図８）に対応する復号方式で復号して、オーディオ出力部２１８に供給する。オーディオ出力部２１８は、オーディオデコーダ２１７から供給されるオーディオデータを、後段のスピーカ（不図示）に供給する。これにより、スピーカからは、例えば、テレビ番組の映像に対応する音声が出力される。
【００９０】
字幕デコーダ２１９は、クロック発生器２１４から供給されるクロック信号に基づいて、Demux２１３から供給される字幕データを、字幕エンコーダ１１６（図８）に対応する復号方式で復号して、ビデオ出力部２１６に供給する。ビデオ出力部２１６は、字幕デコーダ２１９から字幕データが供給された場合、その字幕データを、ビデオデコーダ２１５からのビデオデータに合成し、後段のディスプレイ（不図示）に供給する。これにより、ディスプレイには、テレビ番組の映像とともに、その映像に対応した字幕が表示される。
【００９１】
FLUTE処理部２２０は、Demux２１３から供給される各種のファイルデータから、ESG、アプリケーション、コンテンツなどを復元する。例えば、FLUTE処理部２２０は、復元したESG又はコンテンツを、ストレージ２２１に記録する。また、例えば、FLUTE処理部２２０は、復元したアプリケーションを、ブラウザ２２６に供給する。ストレージ２２１は、HDD(Hard Disk Drive)などの大容量の記録装置である。ストレージ２２１は、FLUTE処理部２２０などから供給される各種のデータを記録する。
【００９２】
制御信号処理部２２２は、Demux２１３から供給される制御信号(LLS，MLS)に基づいて、各部の動作を制御する。NVRAM２２３は、不揮発性メモリであって、制御信号処理部２２２からの制御に従い、各種のデータを記録する。
【００９３】
サービスパッケージ部２２４は、Demux２１３から供給される、コンポーネント、制御信号、及び、時刻情報等のサービスチャンネルの構成要素をパッケージ化し、ストレージ２２１に記録する。また、サービスパッケージ部２２４は、ストレージ２２１から、パッケージ化されたサービスチャンネルのデータを読み出して、デパッケージングし、Demux２１３のIPフィルタ２５２に供給する。これにより、パッケージ化されたサービスチャンネルの構成要素を復元して、再生することができる。なお、パッケージ化されたサービスチャンネルのデータは、通信I/F２２５を介してホームサーバ３０や外部装置４０等に提供することができる。
【００９４】
通信I/F２２５は、ホームネットワーク７０に接続されたホームサーバ３０や外部装置４０などとデータのやり取りを行う。また、通信I/F２２５は、インターネット９０上に設けられたアプリケーションサーバ５０からアプリケーションを受信し、ブラウザ２２６に供給する。ブラウザ２２６には、FLUTE処理部２２０又は通信I/F２２５からアプリケーションが供給される。ブラウザ２２６は、例えばHTML5（Hyper Text Markup Language 5）により記述されたHTML文書からなるアプリケーションに応じたビデオデータを生成し、ビデオ出力部２１６に供給する。これにより、ディスプレイには、テレビ番組に連動したアプリケーションの映像が表示される。
【００９５】
また、通信I/F２２５は、インターネット９０上に設けられた配信サーバ６０から配信される通信コンテンツのデータを受信し、ストリーミング処理部２２７に供給する。ストリーミング処理部２２７は、通信I/F２２５から供給されるデータに対し、ストリーミング再生を行うために必要な各種の処理を施して、その結果得られるビデオデータをビデオ出力部２１６に供給し、オーディオデータをオーディオ出力部２１８に供給する。
【００９６】
なお、図９の受信装置２０において、例えば、チューナ２１２、Demux２１３、クロック発生器２１４、ビデオデコーダ２１５、ビデオ出力部２１６、オーディオデコーダ２１７、オーディオ出力部２１８、字幕デコーダ２１９、ストレージ２２１、NVRAM２２３、及び、通信I/F２２５は、ハードウェアとして構成される。また、例えば、FLUTE処理部２２０、制御信号処理部２２２、サービスパッケージ部２２４、ブラウザ２２６、及び、ストリーミング処理部２２７は、CPU（図５７のCPU９０１）が実行するプログラムにより実現される。
【００９７】
また、図９の受信装置２０の構成では、ストレージ２２１は内蔵されているとして説明したが、外付けのストレージを用いるようにしてもよい。
【００９８】
（フィルタリング処理の詳細）
次に、図１０を参照して、図９のDemux２１３における各パケットのフィルタリング処理の詳細について説明する。
【００９９】
図１０に示すように、Demux２１３には、各種のヘッダ情報と、ペイロードとして、LLS、NTP、MLS、ビデオデータやオーディオデータ、又は各種のファイルデータを含んでいる各パケットが入力される。
【０１００】
GSEヘッダには、IP又はSignalingを示すタイプ情報が含まれている。GSEフィルタ２５１は、GSEヘッダに含まれるタイプ情報に基づいて、フィルタリング処理を行う。図１０の例では、LLSのパケットのタイプ情報のみがSignalingとなり、他のパケットはIPとなるので、LLSのパケットのみがセクションフィルタバンク２５４に供給される。
【０１０１】
また、IPヘッダには、IPアドレスが含まれる。IPフィルタ２５２は、IPヘッダに含まれるIPアドレスに基づいて、フィルタリング処理を行う。図１０の例では、NTPのパケットのIPアドレスのみ異なるが、他のパケットのIPアドレスは同一のアドレスとなる。
【０１０２】
さらに、UDPヘッダには、ポート番号が含まれる。UDPフィルタ２５３は、UDPヘッダに含まれるポート番号に基づいて、フィルタリング処理を行う。図１０の例では、各パケットのポート番号は異なっている。従って、IPフィルタ２５２とUDPフィルタ２５３によって、IPアドレスとポート番号を用いたフィルタリング処理が行われることで、全てのパケットを出力先に振り分けることができる。ただし、LLSのパケットとMLSのパケットは、セクションフィルタバンク２５４に供給されるので、セクションフィルタバンク２５４は、それらのパケットに付加されたSectionヘッダに基づいて、フィルタリング処理を行い、フィルタ条件を満たしたパケットだけが、セクションフィルタバンク２５４内のバッファメモリに保持され、これはCPU（図５７のCPU９０１）からソフトウェアで間欠的に吸い上げられることになる。
【０１０３】
これにより、LLSのパケットとMLSのパケットは、制御信号処理部２２２に出力される。また、NTPのパケットは、クロック発生器２１４に出力される。また、ビデオデータのパケットは、ビデオデコーダ２１５に出力され、オーディオデータのパケットは、オーディオデコーダ２１７に出力される。さらに、各種のファイルのデータのパケットは、FLUTE処理部２２０などに出力される。
【０１０４】
また、同一のサービスチャンネルとなる、MLS、ビデオデータやオーディオデータ、各種のファイルデータのパケットは、同一のIPアドレスが付与されているので、IPフィルタ２５２は、それらのパケットを、NTPのパケットとともに、サービスパッケージ部２２４に出力することができる。これにより、サービスパッケージ部２２４は、コンポーネント(Audio/Video)、時刻情報(NTP)、及び、制御信号(MLS)などを、サービスチャンネル（サービス）単位でパッケージ化することができる。また、この例の場合、NTPは、複数のサービスチャンネルで共通のものとなるため、他のパケットと同一のIPアドレスとはならないが、少なくとも２つのIPアドレスに応じてパッケージ化されることになる。
【０１０５】
＜シグナリングの詳細＞
【０１０６】
（基本的なシグナリング系統）
図１１は、基本的なシグナリング系統を説明するための図である。
【０１０７】
図１１に示すように、LLSには、NIT、AMT、SATが用いられる。NITとAMTは、例えば、伝送周期が1秒とされ、初期スキャンにおいて取得される。また、SATは、例えば、伝送周期が100ミリ秒とされ、サービスの選局時に取得される。
【０１０８】
NITは、トリプレットにより放送ネットワーク内のトランスポートストリーム構成とサービス構成を示している。NITには、network_idとトランスポートストリームループが配置され、トランスポートストリームループ内にはさらに、サービスループが配置される。
【０１０９】
AMTは、各サービスのIPアドレスを示している。また、SATは、オンエア中のサービスを示している。NITと、AMT，SATは、service_idにより紐付けられており、例えば、NITとAMTを結合することで、選局情報が得られる。また、SATによって、特定のサービスがオンエア中であるかどうかを判定することができる。
【０１１０】
また、図１１に示すように、MLS(SCS)には、SMTが用いられる。SMTは、例えば伝送周期が100ミリ秒とされる。SMTは、各サービスのサービス単位のサービス属性、コンポーネントの構成情報、コンポーネント属性、コンポーネントのフィルタ情報を示しており、サービスごとに用意される。すなわち、AMTのIPアドレスと、SMTのポート番号を用いたフィルタリング処理を行うことで、特定のサービスのコンポーネント群を取得することができる。
【０１１１】
さらに、図１１に示すように、HLSとして、ESGがFLUTEセッションにより伝送される。ESGは、Access，Service，Content，Schedule，PurchaseItemなどから構成される電子サービスガイドである。そして、AMTのIPアドレスとSMTのポート番号に加えて、NITのESG_bootstrap情報に含まれるTSI(Transport Session Identifier)を用いることで、FLUTEセッションからESGを取得することができる。
【０１１２】
（NRTサービスにおけるシグナリング系統）
図１２は、NRTサービスにおけるシグナリング系統を説明するための図である。
【０１１３】
ここで、NRTサービスとは、NRT(Non-RealTime)放送で伝送されるNRTコンテンツを、一旦受信装置２０のストレージ２２１に蓄積した後で、再生を行うサービスである。
【０１１４】
図１２に示すように、NRTサービスにおいて、LLSには、図１１と同様に、NIT、AMT、SATが用いられる。また、NRTサービスにおいては、図１１と同様に、HLSとして、ESGがFLUTEセッションにより伝送される。さらに、詳細については、図４３乃至図５０を参照して後述するが、NRTサービスにおいて、MLS(SCS)のSMTにはTSIが含まれているので、このTSIを用いて、FLUTEセッションにおいて周期的に送信されるFDT(File Delivery Table)を取得し、そのインデックス情報を参照することで、対象のNRTコンテンツのファイルを取得することができる。
【０１１５】
（ハイブリッドサービスにおけるシグナリング系統）
図１３は、ハイブリッドサービスにおけるシグナリング系統を説明するための図である。
【０１１６】
ここで、ハイブリッドサービス(Hybrid Service)とは、デジタル放送の分野において放送を利用するだけでなく、インターネットと連携したサービスをいう。このようなハイブリッドサービスでは、インターネット配信されるアプリケーションを、テレビ番組等の放送コンテンツに連動して実行させることができる。
【０１１７】
図１３に示すように、ハイブリッドサービスにおいて、LLSには、図１１と同様に、NIT、AMT、SATが用いられる。また、ハイブリッドサービスおいては、図１１と同様に、HLSとして、ESGがFLUTEセッションにより伝送される。さらに、詳細については、図５１乃至図５３を参照して後述するが、ハイブリッドサービスにおいて、MLS(SCS)には、SMTのほかにAITが用いられ、このAITに基づいて、FLUTEセッションで伝送されるアプリケーション、あるいはアプリケーションサーバ５０により提供されるアプリケーションが取得され、テレビ番組等に連動して実行されることになる。
【０１１８】
＜LLSの詳細構造＞
【０１１９】
（NITのデータ構造）
図１４は、NITのデータ構造を示す図である。
【０１２０】
table_idは、テーブル識別を示す。section_syntax_indicatorは、1ビットのフィールドで、固定の値が指定される。section_lengthは、セクション長を示す。
【０１２１】
network_idは、ネットワーク識別を示し、NITが示す分配システムを他の分配システムと区別して識別するラベルの役割をする。
【０１２２】
version_numberは、バージョン番号を示す。current_next_indicatorは、カレントネクスト指示を示す。section_numberは、セクション番号を示す。last_section_numberは、最終セクション番号を示す。
【０１２３】
network_descriptors_lengthは、ネットワーク記述子長を示す。transport_stream_loop_lengthは、トランスポートストリームループ長を示す。
【０１２４】
transport_stream_idは、トランスポートストリーム識別を示す。original_network_idは、オリジナルネットワーク識別を示す。transport_descriptors_lengthは、トランスポート記述子長を示す。
【０１２５】
図１５は、図１４のNITのループ内に配置される記述子の例を示す図である。
【０１２６】
図１５に示すように、NITのネットワークループ内には、Name_descriptorが必要に応じて配置される。また、NITのトランスポートストリームループ内には、Service_list_decriptor，ATSC3_delivery_system_descriptor，Transport_stream_protocol_descriptorが必ず配置され、Name_descriptor，ESG_bootstrap_descriptorが必要に応じて配置される。
【０１２７】
図１６に示すように、Name_descriptorは、文字符号により名称を提供する。図１６において、charは、文字符号を示し、所定の名称が記述される。
【０１２８】
図１７に示すように、Service_list_decriptorは、サービス識別とサービス形式種別によるサービスのリストを提供する。図１７において、service_idは、サービス識別を示す。また、service_typeは、サービス形式種別を示す。
【０１２９】
図１８に示すように、ATSC3_delivery_system_descriptorは、選局処理を行うための物理的な情報を提供する。図１８において、plp_idは、plp識別を示す。また、T2_system_idは、システム識別を示す。centre_frequencyは、周波数を示す。
【０１３０】
図１９に示すように、Transport_stream_protocol_descriptorは、トランスポートストリームのプロトコルのタイプを提供する。図１９において、protocol_typeは、プロトコル形式種別を示す。例えば、protocol_typeとして、'0'が指定された場合にMPEG2-TSを表し、'1'が指定された場合にIPv4を表し、'2'が指定された場合にIPv6を表すものとすることができる。
【０１３１】
図２０に示すように、ESG_bootstrap_descriptorは、FLUTEセッションにより伝送されるESGを取得するための情報を提供する。図２０において、source_IP_address，destination_IP_addressは、送信元（source）と宛先（destination）のIPアドレスを示す。UDP_port_numは、UDPのポート番号を示す。TSIには、FLUTEセッションにおけるTSIを示す。
【０１３２】
（AMTのデータ構造）
図２１は、AMTのデータ構造を示す図である。
【０１３３】
table_idは、テーブル識別を示す。section_syntax_indicatorは、1ビットのフィールドで、固定の値が指定される。section_lengthは、セクション長を示す。
【０１３４】
transport_stream_idは、トランスポートストリーム識別を示す。version_numberは、バージョン番号を示す。current_next_indicatorは、カレントネクスト指示を示す。section_numberは、セクション番号を示す。last_section_numberは、最終セクション番号を示す。number_of_servicesサービスの数を示す。
【０１３５】
service_idは、サービス識別を示す。IP_version_flagは、IPバージョンのフラグを示す。例えば、IP_version_flagとして、'0'が指定された場合にIPv4を表し、'1'が指定された場合にIPv6を表すものとすることができる。
【０１３６】
source_IP_address_for_v4，destination_IP_address_for_v4は、送信元（source）と宛先（destination）のバージョン4のIPアドレスを示す。また、source_IP_address_for_v6，destination_IP_address_for_v6は、送信元（source）と宛先（destination）のバージョン6のIPアドレスを示す。
【０１３７】
なお、AMTにおいて、service_id='0xFFFF'が指定された場合には、サービスではなく、NTPパケットのIPアドレスを示すものとする。
【０１３８】
（SATのデータ構造）
図２２は、SATのデータ構造を示す図である。
【０１３９】
table_idは、テーブル識別を示す。section_syntax_indicatorは、1ビットのフィールドで、固定の値が指定される。section_lengthは、セクション長を示す。
【０１４０】
transport_stream_idは、トランスポートストリーム識別を示す。version_numberは、バージョン番号を示す。current_next_indicatorは、カレントネクスト指示を示す。section_numberは、セクション番号を示す。last_section_numberは、最終セクション番号を示す。
【０１４１】
service_idは、サービス識別を示す。
【０１４２】
なお、図２３に示すように、SATをテーブルとしてではなく、構造体としてのSAT_dataを、GSEヘッダの拡張領域に配置するようにしてもよい。図２４に示すように、SAT_dataは、SATと同様に、オンエア中のサービスを提供する。例えば、SAT_dataにおいて、active_service_bitmapは、8ビットからなるが、それらのビットを、NITのService_list_decriptorに記述されるservice_idのリストの順番に対応付けることで、オンエア中なサービスを表すことができる。
【０１４３】
だたし、全てのパケットのGSEヘッダの拡張領域にSAT_dataを配置する必要はなく、例えば、図２３に示すように、SMTのパケットのGSEヘッダにのみ、その拡張領域にSAT_dataが配置されるようにすればよい。
【０１４４】
＜MLSの詳細構造＞
【０１４５】
（SMTのデータ構造）
図２５は、SMTのデータ構造を示す図である。
【０１４６】
table_idは、テーブル識別を示す。section_syntax_indicatorは、1ビットのフィールドで、固定の値が指定される。section_lengthは、セクション長を示す。
【０１４７】
service_idは、サービス識別を示す。version_numberは、バージョン番号を示す。current_next_indicatorは、カレントネクスト指示を示す。section_numberは、セクション番号を示す。last_section_numberは、最終セクション番号を示す。service_categoryは、サービスのカテゴリを示す。
【０１４８】
service_descriptor_lengthは、サービス記述子長を示す。base_UDP_port_numberは、RTPのポート番号を示す。なお、RTCP(RTP Control Protocol)のポート番号は、例えば、RTPのポート番号の値の次の値となる。component_info_lengthは、コンポーネント情報長を示す。
【０１４９】
図２６は、図２５のSMTのループ内に配置される記述子の例を示す図である。
【０１５０】
図２６に示すように、SMTのサービスループ内には、Name_descriptor，Protocol_version_descriptor，NRT_service_descriptor，Capabilities_descriptor，Icon_descriptor，ISO-639 language_descriptor，Receiver_targeting_descriptor，Adjunct_service_descriptor，Genre_descriptorが必要に応じて配置される。また、SMTのコンポーネントループ内には、コンポーネントごとに必要な情報を提供するためのComponent_descriptorが必ず配置される。
【０１５１】
＜具体的な運用例＞
【０１５２】
次に、本技術を適用した受信装置の具体的な運用例について説明する。ただし、その説明は以下の順序にしたがって行うものとする。
【０１５３】
１．基本動作
（１）スキャン
（２）チャンネル選局
（３）録画
２．NRTサービス対応
３．ハイブリッドサービス対応
【０１５４】
＜１．基本動作＞
【０１５５】
まず、図２７乃至図４２を参照して、受信装置２０の基本動作について説明する。なお、基本動作におけるシグナリングについては、図１１を参照して先に述べたとおりである。
【０１５６】
（１）スキャン
（１−１）初期スキャン
図２７乃至図２９を参照して、受信可能なチャンネルを設定するために、受信装置２０を最初に起動する場合などに実行される初期スキャン処理について説明する。
【０１５７】
図２７は、初期スキャン処理を説明する図である。
【０１５８】
図２７に示すように、受信装置２０においては、視聴者の操作などにより初期スキャンの開始指示を検出した場合（Ｓ１０１）、LLSとして所定の伝送周期で送られるNIT及びAMTが取得され、これらの制御信号から得られる選局情報がNVRAM２２３に記録される（Ｓ１０２，Ｓ１０３）。このようなスキャン処理が放送ネットワーク(Network)ごとに繰り返され、NVRAM２２３には、全局分の選局情報が記録される（Ｓ１０４，Ｓ１０５）。
【０１５９】
具体的には、図２８に示すように、NITは、放送ネットワーク内のトランスポートストリームの構成とサービスの構成を示しており、それらの構成はトリプレットを用いて識別される。また、AMTは、各トランスポートストリームにおけるサービス単位のIPアドレスの設定を示している。従って、サービスごとのIPアドレスを固定とした場合、スキャン取得情報として取得されるNITとAMTを結合して得られる選局情報では、各service_idに対応するIPアドレス(service_IP_address)が指定されることになる。また、図２８の例では全てを記述していないが、選局情報には、例えば物理層の情報やESG_bootstrap情報などのNIT及びAMTに記述された情報が含まれている。
【０１６０】
このように、初期スキャン処理によって、放送ネットワークごとにスキャン取得情報として得られるNITとAMTを順次結合することで、全局分の選局情報が取得され、NVRAM２２３に記録される。
【０１６１】
図２９は、初期スキャン時の受信装置２０の動作を示す図である。
【０１６２】
図２９に示すように、初期スキャン時の受信装置２０においては、チューナ２１２により１番目のチャンネルの放送信号が抽出されて復調され、その結果得られるセクション形式のデータがGSEフィルタ２５１に供給される（Ｓ１２１）。GSEフィルタ２５１及びセクションフィルタバンク２５４（不図示）は、フィルタリング処理を行い、チューナ２１２からのデータからNITとAMTを抽出し、スキャン取得情報として制御信号処理部２２２に供給する（Ｓ１２１）。制御信号処理部２２２は、NITとAMTを結合して得られる選局情報を、NVRAM２２３に記録する（Ｓ１２１）。
【０１６３】
このようにして、１番目の放送ネットワークの選局情報がNVRAM２２３に記録されるが、同様に、図２９のＳ１２１の処理が繰り返されることで、２番目乃至Ｎ番目（Ｎは１以上の整数）の放送ネットワークから得られる選局情報がNVRAM２２３に記録され、受信可能な全局分の選局情報が保持されることになる。なお、TCPフィルタ２５５は、TCP(Transmission Control Protocol)用のフィルタである。また、CAS/DRM２６１はコンテンツの著作権に関する処理を行うものである。
【０１６４】
（１−２）ESG取得
図３０乃至図３２を参照して、ESG（電子サービスガイド）を取得するために、受信装置２０の電源オフ時などに実行されるESG取得処理について説明する。
【０１６５】
図３０は、ESG取得処理を説明する図である。
【０１６６】
図３０に示すように、受信装置２０においては、例えば、毎日定刻などのESG取得時刻を経過したとき、NVRAM２２３に記録された選局情報が読み出される（Ｓ１４１）。選局情報には、ESG_bootstrap情報が含まれているので、ESG_bootstrap情報に従い、FLUTEセッションのうち、ESGセッションにアクセスすることでESG情報が取得される（Ｓ１４２，Ｓ１４３）。ESG情報は、ストレージ２２１に記録される（Ｓ１４４）。このようなESG取得処理が放送ネットワーク(Network)ごとに繰り返され、ストレージ２２１には、全局分のESG情報が記録される（Ｓ１４５，Ｓ１４３，Ｓ１４４）。
【０１６７】
ところで、FLUTEセッションでは、TSI(Transport Session Identifier)とTOI(Transport Object Identifier)の２つの識別情報により特定のファイルを指定する。ここで、ESG_bootstrap情報には、TSIが含まれているので、このTSIを用いて、周期的に送信されるFDTを取得することができる。すなわち、FDT(File Delivery Table)は、TOI=0のファイルとしてTSIごとに送信されるものであり、FDTには、TSIごとのインデックス情報が記述される。従って、図３１に示すように、FDTのインデックス情報を参照することで、ESGセッションにより伝送されるファイルから、Service，Schedule，Content，Accessなどから構成されるESG情報を生成して、ストレージ２２１に記録することができる。
【０１６８】
図３２は、ESG取得時の受信装置２０の動作を示す図である。
【０１６９】
図３２に示すように、ESG取得時の受信装置２０において、制御信号処理部２２２は、NVRAM２２３に記録された選局情報を読み出して、ESG_bootstrap情報に含まれるTSIを、ESGセッション情報として取得する（Ｓ１６１）。FLUTE処理部２２０は、制御信号処理部２２２からのESGセッション情報に従ってFDTを取得し、そのインデックス情報を参照してESGセッションにより伝送されるファイルを取得する。FLUTE処理部２２０は、ESGセッションにより伝送されるファイルからESG情報を生成して、ストレージ２２１に記録する（Ｓ１６２）。
【０１７０】
このようにして、１番目の放送ネットワークのESG情報がストレージ２２１に記録されるが、同様に、図３２のＳ１６１，Ｓ１６２の処理が繰り返されることで、NVRAM２２３に記録されている選局情報により指定可能な全局分のESG情報が保持されることになる。
【０１７１】
（２）チャンネル選局
（２−１）ダイレクト選局
図３３乃至図３５を参照して、視聴者がリモートコントローラを操作して、直接特定のチャンネル（サービス）を選局する場合に実行されるダイレクト選局処理について説明する。
【０１７２】
図３３は、ダイレクト選局処理を説明する図である。
【０１７３】
図３３に示すように、受信装置２０においては、視聴者による選局操作を検出した場合、NVRAM２２３に記録されている選局情報が読み出される（Ｓ２０１）。また、受信装置２０では、LLSとして所定の伝送周期で送られるSATが取得され、オンエア中のサービスのservice_idが取得される（Ｓ２０２，Ｓ２０３）。そして、視聴者により選局された特定のサービスのservice_idと、SATに含まれるサービスのservice_idとが照合され、特定のサービスがオンエア中であるかどうかが判定される（Ｓ２０４）。
【０１７４】
特定のサービスがオンエア中である場合には選局情報により、選局されたサービスのservice_idから、network_id，transport_stream_idと、service_IP_addressが特定されるので、IPアドレスとポート番号を用いたフィルタリング処理を行うことで、SCSとして所定の伝送周期で送られるSMTが取得される（Ｓ２０５乃至Ｓ２０７）。ただし、この例では、SCSのポート番号には、所定の規格などにより、固定の値があらかじめ定められているものとする。
【０１７５】
SMTは、各コンポーネントのポート番号など、コンポーネントの属性や構成情報を含んでいる。従って、図３４に示すように、選局情報から得られるIPアドレスと、SMTに含まれるポート番号を用いたフィルタリング処理を行うことで、RTPセッションやFLUTEセッションから、特定のサービスのコンポーネントや、複数のサービスで共通となる時刻情報（NTP）を取得することができる。
【０１７６】
図３３の例では、RTPセッションからコンポーネントとして、ビデオデータとオーディオデータが取得される（Ｓ２０８，Ｓ２０９）。このようにして取得されたビデオデータとオーディオデータは、NTPに基づいたクロック信号に従い、復号されることになる。
【０１７７】
図３５は、ダイレクト選局時の受信装置２０の動作を示す図である。
【０１７８】
図３５に示すように、ダイレクト選局時の受信装置２０において、制御信号処理部２２２は、NVRAM２２３に記録された選局情報を読み出す（Ｓ２２１）。チューナ２１２は、制御信号処理部２２２からの制御に従い、選局情報に応じた選局処理を行う。また、制御信号処理部２２２は、GSEフィルタ２５１及びセクションフィルタバンク２５４（不図示）によるフィルタリング処理により抽出されたSATを取得して、視聴者により選局された特定のサービスがオンエア中であるかどうかを判定する（Ｓ２２２）。
【０１７９】
特定のサービスがオンエア中である場合、IPフィルタ２５２及びUDPフィルタ２５３によって、IPアドレスとポート番号を用いたフィルタリング処理が行われることで、制御信号処理部２２２はSMTを取得する（Ｓ２２３）。また、図３５の例では、RTPセッションによりコンポーネントが伝送されているので、IPフィルタ２５２及びUDPフィルタ２５３は、IPアドレスとポート番号を用いたフィルタリング処理を行い、NTP、ビデオデータ、オーディオデータを、クロック発生器２１４、ビデオデコーダ２１５、オーディオデコーダ２１７にそれぞれ供給する（Ｓ２２４）。
【０１８０】
クロック発生器２１４は、UDPフィルタ２５３からのNTPに基づいて、クロック信号を生成し、ビデオデコーダ２１５と、オーディオデコーダ２１７に供給する（Ｓ２２４）。ビデオデコーダ２１５は、クロック発生器２１４からのクロック信号に従い、UDPフィルタ２５３からのビデオデータを復号し、図示していないビデオ出力部２１６に供給する（Ｓ２２４）。オーディオデコーダ２１７は、クロック発生器２１４からのクロック信号に従い、UDPフィルタ２５３からのオーディオデータを復号し、図示していないオーディオ出力部２１８に供給する（Ｓ２２４）。これにより、視聴者により選局された特定のサービスに対応するテレビ番組の映像がディスプレイに表示され、その映像に対応する音声がスピーカから出力されることになる。
【０１８１】
（２−２）ESG選局
図３６乃至図３８を参照して、視聴者がリモートコントローラを操作して、ESG（電子サービスガイド）から特定のサービスを選局する場合に実行されるESG選局処理について説明する。
【０１８２】
図３６は、ESG選局処理を説明する図である。
【０１８３】
図３６に示すように、受信装置２０においては、視聴者によるESGの表示操作を検出した場合、ストレージ２２１からESG情報が読み出され（Ｓ２４１）、ディスプレイに、ESG情報が表示される（Ｓ２４２）。これにより、視聴者は、ディスプレイに表示されたサービスリストから、視聴したい特定のサービスを選択することになる。受信装置２０は、視聴者による特定のサービスの選択操作を検出した場合（Ｓ２４３）、NVRAM２２３から選局情報を読み出し、選局処理を行う（Ｓ２４４）。
【０１８４】
また、受信装置２０では、図３３のダイレクト選局処理と同様のフィルタリング処理が行われ、特定のサービスのコンポーネントや時刻情報（NTP）が取得される（Ｓ２４５）。
【０１８５】
具体的には、図３７に示すように、まず、LLSとして所定の伝送周期で送られるSATを用い、特定のサービスがオンエア中であるかどうかが判定される。そして、特定のサービスがオンエア中である場合には選局情報によりIPアドレスが特定されるので、このIPアドレスと固定のポート番号を用いたフィルタリング処理を行うことで、SCSとして所定の伝送周期で送られるSMTが取得される。また、選局情報から得られるIPアドレスと、SMTから得られるポート番号を用いたフィルタリング処理を行うことで、RTPセッションやFLUTEセッションから、特定のサービスのコンポーネントや、複数のサービスで共通となる時刻情報（NTP）を取得することができる。
【０１８６】
図３８は、ESG選局時の受信装置２０の動作を示す図である。
【０１８７】
図３８に示すように、ESG選局時の受信装置２０においては、ストレージ２２１からESG情報が読み出され、ディスプレイに表示される（Ｓ２６１）。また、制御信号処理部２２２は、ESG情報に対する、視聴者による特定のサービスの選択操作を検出した場合、NVRAM２２３に記録されている選局情報を読み出す（Ｓ２６２）。チューナ２１２は、制御信号処理部２２２からの制御に従い、選局情報に応じた選局処理を行う。また、制御信号処理部２２２は、GSEフィルタ２５１及びセクションフィルタバンク２５４（不図示）によるフィルタリング処理により抽出されたSATを取得して、視聴者により選局された特定のサービスがオンエア中であるかどうかを判定する（Ｓ２６３）。
【０１８８】
特定のサービスがオンエア中である場合、IPフィルタ２５２及びUDPフィルタ２５３によって、IPアドレスとポート番号を用いたフィルタリング処理が行われることで、制御信号処理部２２２はSMTを取得する（Ｓ２６４）。また、図３８の例では、RTPセッションによりコンポーネントが伝送されているので、IPフィルタ２５２及びUDPフィルタ２５３は、IPアドレスとポート番号を用いたフィルタリング処理を行い、NTP、ビデオデータ、オーディオデータを、クロック発生器２１４、ビデオデコーダ２１５、オーディオデコーダ２１７にそれぞれ供給する（Ｓ２６５）。
【０１８９】
クロック発生器２１４は、UDPフィルタ２５３からのNTPに基づいて、クロック信号を生成し、ビデオデコーダ２１５と、オーディオデコーダ２１７に供給する（Ｓ２６５）。ビデオデコーダ２１５は、クロック発生器２１４からのクロック信号に従い、UDPフィルタ２５３からのビデオデータを復号し、図示していないビデオ出力部２１６に供給する（Ｓ２６５）。オーディオデコーダ２１７は、クロック発生器２１４からのクロック信号に従い、UDPフィルタ２５３からのオーディオデータを復号し、図示していないオーディオ出力部２１８に供給する（Ｓ２６５）。これにより、視聴者がESG情報から選択した特定のサービスに対応するテレビ番組の映像がディスプレイに表示され、その映像に対応する音声がスピーカから出力されることになる。
【０１９０】
（３）録画
（３−１）ESG録画予約・実行
図３９乃至図４１を参照して、視聴者がリモートコントローラ等によって、ESG（電子サービスガイド）から特定のサービスの録画予約を行った場合に実行されるESG録画予約・実行処理について説明する。
【０１９１】
図３９は、ESG録画予約・実行処理を説明する図である。
【０１９２】
図３９に示すように、受信装置２０においては、視聴者によるESGの表示操作を検出した場合、ストレージ２２１からESG情報が読み出され（Ｓ３０１）、ディスプレイに、ESG情報が表示される（Ｓ３０２）。これにより、視聴者は、ディスプレイに表示されたサービスリストから、録画予約を行いたい特定のサービスを選択することになる。受信装置２０は、視聴者による特定のサービスの選択操作を検出した場合、その選択操作に応じた録画予約情報を、ストレージ２２１に記録する（Ｓ３０３，Ｓ３０４）。
【０１９３】
その後、受信装置２０においては、特定のサービスの録画予約の開始時刻の直前に、録画開始トリガが通知される（Ｓ３０５）。受信装置２０は、その録画開始トリガに応じて、ストレージ２２１とNVRAM２２３から、特定のサービスの録画予約情報と選局情報を読み出し、選局処理を行う（Ｓ３０６，Ｓ３０７）。
【０１９４】
受信装置２０は、特定のサービス内で同一となるIPアドレスを用いたフィルタリング処理を実行して、特定のサービスを構成するコンポーネントや制御情報(MLS(SCS))を取得する（Ｓ３０８乃至Ｓ３１０）。このフィルタリング処理では、特定のサービスのコンポーネントや制御情報(MLS(SCS))のほか、NTP用のIPアドレスを用いたフィルタリング処理によって、時刻情報（NTP）が取得される。また、ESG情報を取得してもよい。そして、それらの取得された情報は、サービス単位でパッケージ化された後、特定のサービスに対応する番組録画情報としてストレージ２２１に記録される（Ｓ３１１，Ｓ３１２）。ただし、番組録画情報は、そのままストレージ２２１に記録してもよいし、ファイル化してから記録するようにしてもよい。
【０１９５】
具体的には、図４０に示すように、ESG情報から特定のサービスが選択されると、そのサービスに対応するトリプレット(triplet)、録画番組のタイトル(title)、録画開始時刻(start time)や録画終了時刻(end time)などが、録画予約情報としてストレージ２２１に記録される。そして、録画開始時刻になったとき、特定のサービスの録画予約情報と選局情報が取得され、選局処理が行われる。また、LLSとして所定の伝送周期で送られるSATが取得され、特定のサービスがオンエア中であるかどうかが判定される。特定のサービスがオンエア中である場合には選局情報により、IPアドレスが特定されるので、そのIPアドレスと固定のポート番号を用いたフィルタリング処理を行うことで、MLS(SCS)として所定の伝送周期で送られるSMTが取得される。
【０１９６】
また、選局情報から得られるIPアドレスを用いたフィルタリング処理を行うことで、RTPセッションから、特定のサービスのコンポーネントを取得することができる。ここでは、コンポーネントとして、ビデオデータとオーディオデータが取得される。また、選局情報からNTP用のIPアドレスを特定することができるので、そのIPアドレスを用いたフィルタリング処理を行うことで、NTPが取得される。このようにしてIPアドレスを用いたフィルタリング処理によって取得される、コンポーネント(Audio/Video)、時刻情報(NTP)、及び、制御信号(MLS(SCS))などは、サービス単位でパッケージ化されて、特定のサービスに対応した番組録画情報としてストレージ２２１に記録される。
【０１９７】
図４１は、ESG録画予約・実行時の受信装置２０の動作を示す図である。
【０１９８】
図４１に示すように、ESG録画予約・実行時の受信装置２０においては、ストレージ２２１からESG情報が読み出され、ディスプレイに表示される（Ｓ３２１）。受信装置２０は、視聴者によって、ディスプレイに表示されたサービスリストから、特定のサービスが選択された場合、その選択操作に応じた録画予約情報を、ストレージ２２１に記録する（Ｓ３２２）。
【０１９９】
その後、録画開始トリガが通知された場合、制御信号処理部２２２は、ストレージ２２１とNVRAM２２３から、特定のサービスの録画予約情報と選局情報を読み出す（Ｓ３２３）。これにより、チューナ２１２は、制御信号処理部２２２からの制御に従い、特定のサービスの録画予約情報及び選局情報に応じた選局処理を行う。また、制御信号処理部２２２は、GSEフィルタ２５１及びセクションフィルタバンク２５４（不図示）によるフィルタリング処理により抽出されたSATを取得して、視聴者により選局された特定のサービスがオンエア中であるかどうかを判定する（Ｓ３２４）。
【０２００】
特定のサービスがオンエア中である場合、IPフィルタ２５２及びUDPフィルタ２５３によって、IPアドレスとポート番号を用いたフィルタリング処理が行われることで、制御信号処理部２２２はSMTを取得する（Ｓ３２５）。
【０２０１】
また、IPフィルタ２５２によるIPアドレスを用いたフィルタリング処理が行われることで、特定のサービスのコンポーネント(Audio/Video)、時刻情報(NTP)、及び、制御信号(MLS(SCS))が抽出され、サービスパッケージ部２２４に供給される。そして、サービスパッケージ部２２４は、IPフィルタ２５２からのコンポーネント、時刻情報、及び、制御信号を、サービス単位でパッケージ化して、特定のサービスに対応した番組録画情報としてストレージ２２１に記録する（Ｓ３２６）。
【０２０２】
このように、ESG録画予約・実行処理によって、視聴者により録画予約された特定のサービスに必要となるコンポーネントや制御信号などの情報を、IPアドレスを用いたフィルタリング処理により抽出し、サービス単位でパッケージ化することができる。
【０２０３】
（３−２）録画番組再生
次に、上述したESG録画予約・実行処理により、ストレージ２２１に記録された番組録画情報の再生を行う場合に実行される録画番組再生処理について説明する。
【０２０４】
図４２は、録画番組再生時の受信装置２０の動作を示す図である。
【０２０５】
録画番組再生時の受信装置２０においては、ストレージ２２１からESG情報が読み出され、ディスプレイに表示される（Ｓ３４１）。視聴者によって、サービスリストから、特定のサービスが選択された場合、サービスパッケージ部２２４は、ストレージ２２１から、その選択操作に応じた特定のサービスに対応した番組録画情報を読み出す（Ｓ３４２，Ｓ３４３）。
【０２０６】
サービスパッケージ部２２４は、ストレージ２２１から読み出された特定のサービスに対応する番組録画情報をデパッケージングして、サービス単位でパッケージ化されていたコンポーネント(Audio/Video)、時刻情報(NTP)、及び、制御信号(MLS(SCS))を取得する（Ｓ３４３）。これらの情報は、IPフィルタ２５２に供給される。
【０２０７】
図４２の例では、RTPセッションによりコンポーネントが伝送されていたので、IPフィルタ２５２及びUDPフィルタ２５３は、IPアドレスとポート番号を用いたフィルタリング処理を行い、NTP、ビデオデータ、オーディオデータを、クロック発生器２１４、ビデオデコーダ２１５、オーディオデコーダ２１７にそれぞれ供給する（Ｓ３４３）。
【０２０８】
クロック発生器２１４は、UDPフィルタ２５３からのNTPに基づいて、クロック信号を生成し、ビデオデコーダ２１５と、オーディオデコーダ２１７に供給する（Ｓ３４３）。ビデオデコーダ２１５は、クロック発生器２１４からのクロック信号に従い、UDPフィルタ２５３からのビデオデータを復号し、図示していないビデオ出力部２１６に供給する（Ｓ３４３）。オーディオデコーダ２１７は、クロック発生器２１４からのクロック信号に従い、UDPフィルタ２５３からのオーディオデータを復号し、図示していないオーディオ出力部２１８に供給する（Ｓ３４３）。
【０２０９】
これにより、視聴者がESG情報から選択した特定のサービスであって、そのサービスに対応した番組録画情報に基づいたテレビ番組の映像がディスプレイに表示され、その映像に対応する音声がスピーカから出力されることになる。
【０２１０】
このように、録画番組再生処理によって、ESG録画予約・実行処理によりサービス単位でパッケージ化されたコンポーネントや制御情報等を用い、特定のサービスを再生することができる。
【０２１１】
＜２．NRTサービス対応＞
【０２１２】
次に、図４３乃至図５０を参照して、NRTサービスに対応した受信装置２０の動作について説明する。なお、NRTサービスにおけるシグナリングについては、図１２を参照して先に述べたとおりである。
【０２１３】
（１）NRT-ESG取得
図４３及び図４４を参照して、NRT情報を含むESG情報（以下、「NRT-ESG情報」と記述する）を取得するために、受信装置２０の電源オフ時などに実行されるNRT-ESG取得処理について説明する。
【０２１４】
図４３は、NRT-ESG取得処理を説明する図である。
【０２１５】
図４３に示すように、受信装置２０においては、例えば、毎日定刻などのESG取得時刻を経過したとき、NVRAM２２３に記録された選局情報が読み出される（Ｓ４０１）。選局情報には、ESG_bootstrap情報が含まれているので、ESG_bootstrap情報に従い、FLUTEセッションのうち、ESGセッションにアクセスすることで、NRT-ESG情報が取得される（Ｓ４０２，Ｓ４０３）。NRT-ESG情報は、ストレージ２２１に記録される（Ｓ４０４）。このようなNRT-ESG取得処理が放送ネットワーク(Network)ごとに繰り返され、ストレージ２２１には、全局分のNRT-ESG情報が記録されることになる（Ｓ４０５，Ｓ４０３，Ｓ４０４）。
【０２１６】
図４４は、NRT-ESG取得時の受信装置２０の動作を示す図である。
【０２１７】
図４４に示すように、NRT-ESG取得時の受信装置２０において、制御信号処理部２２２は、NVRAM２２３に記録された選局情報を読み出して、ESG_bootstrap情報に含まれるTSIを、ESGセッション情報として取得する（Ｓ４１１）。FLUTE処理部２２０は、制御信号処理部２２２からのESGセッション情報に従ってFDTを取得し、そのインデックス情報を参照してESGセッションにより伝送されるファイルを取得する（Ｓ４１２）。FLUTE処理部２２０は、ESGセッションにより伝送されるファイルからNRT-ESG情報を生成して、ストレージ２２１に記録する（Ｓ４１３）。
【０２１８】
このようにして、１番目の放送ネットワークのNRT-ESG情報がストレージ２２１に記録されるが、同様に、図４４のＳ４１１乃至Ｓ４１３の処理が繰り返されることで、NVRAM２２３に記録されている選局情報により指定可能な全局分のNRT-ESG情報が保持されることになる。
【０２１９】
（２）NRTコンテンツ取得・再生
図４５乃至図４７を参照して、NRTコンテンツ取得・再生処理について説明する。ただし、NRTサービスには、ブラウズ・ダウンロード方式、プッシュ方式、及び、ポータル方式の３種類の方式が存在するが、このNRTコンテンツ取得・再生処理は、ブラウズ・ダウンロード方式とプッシュ方式に適用することができる。
【０２２０】
ここで、ブラウズ・ダウンロード方式(Browse and Download)は、ダウンロード可能なコンテンツリストから受信予約を行い、予約開始時刻になったときに受信・蓄積処理を実行するものである。プッシュ方式(Push)は、プッシュサービスリストを表示してサービスの登録を行い、登録済みのサービスのコンテンツの配信が開始されたときに受信・蓄積処理を実行するものである。ポータル方式(Portal)は、NRT放送の専用チャンネル（サービス）を選局してNRTコンテンツを受信し、表示するものである。なお、図４５乃至図４７の説明では、ブラウズ・ダウンロード方式を中心に説明する。
【０２２１】
図４５は、NRTコンテンツ取得・再生処理を説明する図である。
【０２２２】
図４５に示すように、受信装置２０においては、視聴者によるNRT-ESGの表示操作を検出した場合、ストレージ２２１からNRT-ESG情報が読み出され（Ｓ４２１）、ディスプレイに、NRT向けのESG情報が表示される（Ｓ４２２）。これにより、視聴者は、ディスプレイに表示されたダウンロード可能なコンテンツリストから、特定のコンテンツを選択することになる。受信装置２０は、特定のコンテンツの選択操作を検出した場合、その選択操作に応じた受信予約情報を、ストレージ２２１に記録する（Ｓ４２３，Ｓ４２４）。受信装置２０は、受信予約済みのコンテンツの受信予約の開始時刻となるまで待機する。
【０２２３】
その後、受信装置２０においては、受信予約済みのコンテンツの受信予約の開始時刻となったとき、ストレージ２２１とNVRAM２２３から、対象のコンテンツの受信予約情報と選局情報が読み出され、選局処理が行われる（Ｓ４２５，Ｓ４２６）。そして、受信装置２０は、特定のサービスがオンエア中である場合には、FLUTEセッションにより伝送される特定のNRTコンテンツを取得し、ストレージ２２１に記録する（Ｓ４２７乃至Ｓ４３０）。
【０２２４】
具体的には、図４６に示すように、NRT-ESG情報は、選局情報に含まれるESG_bootstrap情報に従い、FLUTEセッションから取得されるものであるが（図４３，図４４のNRT-ESG取得処理）、NRT向けのESG情報から特定のコンテンツが選択されると、例えば、Service，ScheduleなどのNRT-ESG情報の一部が、受信予約情報としてストレージ２２１に記録される。そして、受信予約の開始時刻となったとき、特定のサービスの受信予約情報と選局情報が取得され、選局処理が行われる。また、LLSとして所定の伝送周期で送られるSATが取得され、特定のサービスがオンエア中であるかどうかが判定される。特定のサービスがオンエア中である場合には、IPアドレスと固定のポート番号を用いたフィルタリング処理を行うことで、MLS(SCS)として所定の伝送周期で送られるSMTが取得される。
【０２２５】
そして、選局情報から得られるIPアドレスと、SMTから得られるポート番号を用いたフィルタリング処理を行うことで、FLUTEセッションを抽出することができる。また、SMTに記述されるComponent_descriptorには、FLUTEセッションを利用する場合にはTSIが含まれているので、このTSIを用いて、FLUTEセッションにおいて周期的に送信されるFDTを取得することができる。FDTには、インデックス情報として、Content_itemを含んでおり、NRT-ESG情報から得られる受信予約情報に含まれるContent_itemと照合することで、FLUTEセッションから、対象のNRTコンテンツに対応するファイルのみを取得することができる。ただし、NRTコンテンツは、１又は複数のファイルから構成される。
【０２２６】
このようにして取得されたNRTコンテンツは、ストレージ２２１に記録される。また、図４５に示すように、例えば、視聴者により、蓄積済みのNRTコンテンツリストから、特定のNRTコンテンツを選択する操作が行われた場合には、ストレージ２２１に記録された特定のNRTコンテンツが読み出され、再生されることになる（Ｓ４３１）。
【０２２７】
図４７は、NRTコンテンツ取得・再生時の受信装置２０の動作を示す図である。
【０２２８】
図４７に示すように、NRTコンテンツ取得・再生時の受信装置２０においては、ストレージ２２１からNRT-ESG情報が読み出され、ディスプレイに、NRT向けのESG情報が表示される（Ｓ４４１）。受信装置２０は、視聴者によって、ディスプレイに表示されたダウンロード可能なコンテンツリストから、特定のコンテンツが選択された場合、その選択操作に応じた受信予約情報を、ストレージに記録する（Ｓ４４１）。
【０２２９】
その後、受信予約済みのコンテンツの受信予約の開始時刻となったとき、制御信号処理部２２２は、ストレージ２２１とNVRAM２２３から、対象のコンテンツの受信予約情報と選局情報を読み出す（Ｓ４４２）。これにより、チューナ２１２は、制御信号処理部２２２からの制御に従い、対象のコンテンツの受信予約情報及び選局情報に応じた選局処理を行う。
【０２３０】
制御信号処理部２２２は、GSEフィルタ２５１及びセクションフィルタバンク２５４（不図示）によるフィルタリング処理によって抽出されたSATを取得し、特定のサービスがオンエア中であるかどうかを判定する（Ｓ４４３）。特定のサービスがオンエア中である場合、IPフィルタ２５２とUDPフィルタ２５３によって、IPアドレスと固定のポート番号を用いたフィルタリング処理が行われることで、制御信号処理部２２２はSMTを取得する（Ｓ４４４）
【０２３１】
また、IPフィルタ２５２及びUDPフィルタ２５３によって、IPアドレスとポート番号を用いたフィルタリング処理が行われることで、FLUTEセッションが抽出され、さらに、Content_itemの照合処理が行われることで、FLUTEセッションから、特定のNRTコンテンツに対応するファイルが取得され、ストレージ２２１に記録（蓄積）される（Ｓ４４５）。
【０２３２】
また、視聴者により、蓄積済みのNRTコンテンツリストから、特定のNRTコンテンツを選択する操作が行われた場合には、ストレージ２２１に記録された特定のNRTコンテンツのデータが読み出される。そして、ビデオデコーダ２１５及びオーディオデコーダ２１７により復号され、NRTコンテンツが再生されることになる（Ｓ４４６）。
【０２３３】
なお、図４５乃至図４７の説明では、ブラウズ・ダウンロード方式を中心に説明したが、上述したように、NRTコンテンツ取得・再生処理は、プッシュ方式にも適用することができる。すなわち、特定のNRTコンテンツの受信予約情報を登録するのではなく、登録されたサービスの受信予約のリストを作成しておくことで、図４５乃至図４７のNRTコンテンツ取得・再生処理と同様に、登録済みのサービスのNRTコンテンツの配信が開始されたときに、NRTコンテンツを受信して蓄積することができる。
【０２３４】
（３）NRTコンテンツ取得・表示
図４８乃至図５０を参照して、NRTコンテンツ取得・表示処理について説明する。ただし、このNRTコンテンツ取得・表示処理は、ポータル方式のみに適用することができる。
【０２３５】
図４８は、NRTコンテンツ取得・表示処理を説明する図である。
【０２３６】
図４８に示すように、受信装置２０においては、例えば視聴者によるリモートコントローラの操作によって、ポータル用のサービス（例えば天気予報や最新のニュースなど）が選択された場合、NVRAM２２３から選局情報が読み出されて、選局処理が行われる（Ｓ４６１）。そして、受信装置２０は、特定のサービスがオンエア中である場合には、FLUTEセッションにより伝送される対象のNRTコンテンツを取得し、ブラウザ２２６により表示する（Ｓ４６２乃至Ｓ４６５）。
【０２３７】
具体的には、図４９に示すように、LLSとして所定の伝送周期で送られるSATを用い、選択された特定のサービスがオンエア中であるかどうかが判定される。特定のサービスがオンエア中である場合には選局情報によりIPアドレスが特定されるので、そのIPアドレスと固定のポート番号を用いたフィルタリング処理を行うことで、SCSとして所定の伝送周期で送られるSMTが取得される。
【０２３８】
そして、選局情報から得られるIPアドレスと、SMTから得られるポート番号を用いたフィルタリング処理を行うことで、FLUTEセッションから、特定のNRTコンテンツに対応するファイルが取得され、ブラウザ２２６に表示される。この場合のNRTコンテンツは、天気予報や最新ニュースなどに関する情報を記述したHTML(HyperText Markup Language)文書であって、例えば、index.htmlのファイルを最初に取得してブラウザ２２６に供給することで、画像ファイル等の関連する他のファイルを取得することが可能となる。
【０２３９】
図５０は、NRTコンテンツ取得・表示時の受信装置２０の動作を示す図である。
【０２４０】
図５０に示すように、NRTコンテンツ取得・表示時の受信装置２０においては、視聴者によりポータル用のサービスが選択された場合、制御信号処理部２２２は、NVRAM２２３から選局情報を読み出す（Ｓ４８１）。これにより、チューナ２１２は、制御信号処理部２２２からの制御に従い、選局情報に応じた選局処理を行う。制御信号処理部２２２は、GSEフィルタ２５１及びセクションフィルタバンク２５４（不図示）によるフィルタリング処理によって抽出されたSATを取得し、特定のサービスがオンエア中であるかどうかを判定する（Ｓ４８２）。そして、特定のサービスがオンエア中である場合、選局情報から得られるIPアドレスと固定のポート番号によるフィルタリング処理が行われることで、制御信号処理部２２２はSMTを取得する（Ｓ４８３）
【０２４１】
また、IPフィルタ２５２及びUDPフィルタ２５３によって、選局情報から得られるIPアドレスと、SMTから得られるポート番号を用いたフィルタリング処理が行われることで、FLUTEセッションから、特定のNRTコンテンツに対応するファイルが取得され、ブラウザ２２６に表示される（Ｓ４８４）。
【０２４２】
＜３．ハイブリッドサービス対応＞
【０２４３】
最後に、図５１乃至図５３を参照して、ハイブリッドサービスに対応した受信装置２０の動作について説明する。なお、ハイブリッドサービスにおけるシグナリングについては、図１３を参照して先に述べたとおりである。
【０２４４】
（アプリケーション取得・表示）
図５１は、アプリケーション取得・表示処理を説明する図である。
【０２４５】
図５１に示すように、受信装置２０においては、例えば視聴者によるリモートコントローラの操作によって、サービスが選択された場合、NVRAM２２３から選局情報が読み出されて、選局処理が行われる（Ｓ５０１）。そして、受信装置２０は、特定のサービスがオンエア中である場合には、RTPセッションにより伝送される特定の放送コンテンツを取得し、ディスプレイに表示する（Ｓ５０２乃至Ｓ５０４）。
【０２４６】
また、受信装置２０は、SCSとして所定の伝送周期で送られるアプリケーション制御情報を取得する（Ｓ５０５）。ここで、アプリケーション制御情報は、例えば、AIT(Application Information Table)やトリガ情報(Trigger)などの放送コンテンツに連動して実行されるアプリケーションの動作を制御するための情報である。例えば、アプリケーション制御情報には、アプリケーションの識別情報や取得先、ライフサイクルを定義する定義情報などが記述される。受信装置２０は、アプリケーションの取得先として、アプリケーションサーバ５０のURL(Uniform Resource Locator)が記述されている場合、当該URLに従い、インターネット９０を介してアプリケーションサーバ５０にアクセスして、アプリケーションを取得する（Ｓ５０６）。
【０２４７】
例えば、アプリケーションは、放送コンテンツに関連する情報を記述したHTML文書からなり、ブラウザ２２６により表示される（Ｓ５０６）。これにより、ディスプレイには、放送コンテンツとともに、それに関連したアプリケーションの映像が同時に表示されることになる。なお、アプリケーションは、インターネット配信に限らず、FLUTEセッションから取得されるようにしてもよい（Ｓ５０７）。
【０２４８】
具体的には、図５２に示すように、LLSとして所定の伝送周期で送られるSATを用い、選択された特定のサービスがオンエア中であるかどうかが判定される。特定のサービスがオンエア中である場合には選局情報により、特定のサービスのIPアドレスが特定されるので、そのIPアドレスと固定のポート番号を用いたフィルタリング処理を行うことで、SCSとして所定の伝送周期で送られるSMTが取得される。
【０２４９】
そして、選局情報から得られるIPアドレスと、SMTに含まれるポート番号を用いたフィルタリング処理を行うことで、RTPセッションから特定のサービスのコンポーネントを取得することができる。ここでは、コンポーネントとして、ビデオデータとオーディオデータが取得され、NTPの示す時刻情報に従い、ビデオデコーダ２１５とオーディオデコーダ２１７が復号を行うことで、放送コンテンツの映像と音声の同期がとられることになる。
【０２５０】
また、IPアドレスと、ポート番号を用いたフィルタリング処理を行うことで、SCSとして所定の伝送周期で送られるAITが取得される。ただし、AITのポート番号には、例えば所定の規格などにより、固定の値があらかじめ定められている。AITには、アプリケーションの識別情報(App_id)や取得先(URL)などが記述されている。
【０２５１】
例えば、アプリケーションがFLUTEセッションにより伝送されている場合には、選局情報から得られるIPアドレスと、SMTから得られるポート番号を用いたフィルタリング処理を行うことで、FLUTEセッションを抽出することができる。また、SMTに記述されるComponent_descriptorには、FLUTEセッションを利用する場合にはTSIが含まれているので、このTSIを用いて、FLUTEセッションにおいて周期的に送信されるFDTを取得することができる。FDTには、インデックス情報が含まれているので、これを用いて、FLUTEセッションから、アプリケーションを取得することができる。
【０２５２】
図５３は、アプリケーション取得・表示時の受信装置２０の動作を示す図である。
【０２５３】
図５３に示すように、アプリケーション取得・表示時の受信装置２０においては、視聴者によりサービスが選択された場合、制御信号処理部２２２は、NVRAM２２３から選局情報を読み出す（Ｓ５２１）。これにより、チューナ２１２は、制御信号処理部２２２からの制御に従い、選局情報に応じた選局処理を行う。
【０２５４】
制御信号処理部２２２は、GSEフィルタ２５１及びセクションフィルタバンク２５４（不図示）によるフィルタリング処理によって抽出されたSATを取得し、特定のサービスがオンエア中であるかどうかを判定する（Ｓ５２２）。そして、特定のサービスがオンエア中である場合、IPフィルタ２５２とUDPフィルタ２５３によって、IPアドレスとポート番号を用いたフィルタリング処理が行われることで、制御信号処理部２２２はSMTを取得する（Ｓ５２３）。
【０２５５】
また、放送コンテンツは、RTPセッションによりコンポーネントが伝送されているので、IPフィルタ２５２及びUDPフィルタ２５３は、IPアドレスとポート番号を用いたフィルタリング処理を行い、NTP、ビデオデータ、オーディオデータを、クロック発生器２１４、ビデオデコーダ２１５、オーディオデコーダ２１７にそれぞれ供給する（Ｓ５２４）。
【０２５６】
クロック発生器２１４は、UDPフィルタ２５３からのNTPに基づいて、クロック信号を生成し、ビデオデコーダ２１５と、オーディオデコーダ２１７に供給する（Ｓ５２４）。ビデオデコーダ２１５は、クロック発生器２１４からのクロック信号に従い、UDPフィルタ２５３からのビデオデータを復号し、図示していないビデオ出力部２１６に供給する（Ｓ５２４）。オーディオデコーダ２１７は、クロック発生器２１４からのクロック信号に従い、UDPフィルタ２５３からのオーディオデータを復号し、図示していないオーディオ出力部２１８に供給する（Ｓ５２４）。これにより、ディスプレイには、例えば、テレビ番組の映像などが表示され、その映像に同期した音声がスピーカから出力されることになる。
【０２５７】
また、IPフィルタ２５２及びUDPフィルタ２５３は、IPアドレスとポート番号を用いたフィルタリング処理を行うことで、SCSとして所定の伝送周期で送られるAITを抽出して、制御信号処理部２２２に供給する（Ｓ５２５）。また、IPフィルタ２５２及びUDPフィルタ２５３は、IPアドレスとポート番号を用いたフィルタリング処理を行うことで、FLUTEセッションを抽出する。そしてアプリケーション制御情報に基づいて、FLUTEセッションからアプリケーションのファイルが取得され、放送コンテンツに連動して実行されることになる（Ｓ５２６）。
【０２５８】
なお、この例ではアプリケーションがFLUTEセッションを利用して伝送される場合について説明したが、インターネット配信される場合には、アプリケーションサーバ５０から取得されることになる（Ｓ５２７）。
【０２５９】
また、図５１乃至図５３の説明では、RTPセッションとFLUTEセッションが同一のサービスにより伝送されるとして説明したが、FLUTEセッションは、RTPセッションと別のサービスにより伝送するようにしてもよい。この場合、それらのサービスごとにSMTが伝送され、SMTによってそれらのサービスが関連付けられることになる。
【０２６０】
＜各装置で実行される具体的な処理の内容＞
【０２６１】
次に、図５４乃至図５６を参照して、図７の放送システム１を構成する各装置で実行される具体的な処理の内容について説明する。
【０２６２】
（送信処理）
まず、図５４のフローチャートを参照して、図７の送信装置１０により実行される送信処理について説明する。
【０２６３】
ステップＳ７１１において、ビデオデータ取得部１１１は、ビデオデータを取得し、ビデオエンコーダ１１２に供給する。ステップＳ７１２において、ビデオエンコーダ１１２は、ビデオデータ取得部１１１から供給されるビデオデータを符号化し、Mux１２１に供給する。
【０２６４】
ステップＳ７１３において、オーディオデータ取得部１１３は、オーディオデータを取得し、オーディオエンコーダ１１４に供給する。ステップＳ７１４において、オーディオエンコーダ１１４は、オーディオデータ取得部１１３から供給されるオーディオデータを符号化し、Mux１２１に供給する。
【０２６５】
ステップＳ７１５において、字幕データ取得部１１５は、字幕データを取得し、字幕エンコーダ１１６に供給する。ステップＳ７１６において、字幕エンコーダ１１６は、字幕データ取得部１１５から供給される字幕データを符号化し、Mux１２１に供給する。
【０２６６】
ステップＳ７１７において、制御信号取得部１１７は、NITやSMT等の制御信号を取得し、制御信号処理部１１８に供給する。ステップＳ７１８において、制御信号処理部１１８は、制御信号取得部１１７から供給される制御信号に対し、所定の信号処理を施し、Mux１２１に供給する。
【０２６７】
ステップＳ７１９において、ファイルデータ取得部１１９は、非同期型のファイル形式のデータを伝送する場合には、例えばNRTコンテンツやアプリケーション等のファイルデータを取得し、ファイル処理部１２０に供給する。ステップＳ７２０において、ファイル処理部１２０は、ファイルデータ取得部１１９から供給されるファイルデータに対して、所定のファイル処理を施し、Mux１２１に供給する。
【０２６８】
ステップＳ７２１において、Mux１２１は、ビデオエンコーダ１１２からのビデオデータ、オーディオエンコーダ１１４からのオーディオデータ、字幕エンコーダ１１６からの字幕データ、制御信号処理部１１８からの制御信号、及び、ファイル処理部１２０からのファイルデータを多重化してIP伝送形式のストリームを生成し、送信部１２２に供給する。
【０２６９】
ステップＳ７２２において、送信部１２２は、Mux１２１から供給されるストリームを放送信号として、アンテナ１２３を介して送信する。ステップＳ７２２の処理が終了すると、送信処理は終了する。
【０２７０】
以上、送信処理について説明した。
【０２７１】
（パッケージ録画処理）
次に、図５５のフローチャートを参照して、図７の受信装置２０により実行されるパッケージ録画処理について説明する。
【０２７２】
ステップＳ８１１においては、録画予約処理が行われる。この録画予約処理では、図３９のESG録画予約・実行処理で説明したように、ESG情報に応じたサービスリストから、特定のサービスが選択された場合、そのサービスに関する録画予約情報が、ストレージ２２１に記録される。
【０２７３】
録画予約処理が終了すると、処理は、ステップＳ８１２に進められる。ステップＳ８１２においては、録画開始トリガが通知されたかどうかが判定される。録画開始トリガが通知されるのを待って、処理はステップＳ８１３に進められる。
【０２７４】
ステップＳ８１３において、制御信号処理部２２２は、ストレージ２２１から録画予約情報を取得する。また、ステップＳ８１４において、制御信号処理部２２２は、NVRAM２２３から選局情報を取得する。
【０２７５】
ステップＳ８１５において、チューナ２１２は、制御信号処理部２２２からの制御に従い、選局処理を行う。これにより、録画予約の対象となる特定のサービスの放送信号が抽出されて、復調される。
【０２７６】
ステップＳ８１６において、制御信号処理部２２２は、GSEフィルタ２５１及びセクションフィルタバンク２５４によるフィルタリング処理によって抽出されたSATを取得する。ステップＳ８１７において、制御信号処理部２２２は、SATに基づいて、特定のサービスがオンエア中であるかどうかを判定する。
【０２７７】
ステップＳ８１７において、特定のサービスがオンエア中でないと判定された場合、以降の処理は中止され、パッケージ録画処理は終了する。一方、ステップＳ８１７において、特定のサービスがオンエア中であると判定された場合、処理はステップＳ８１８に進められる。
【０２７８】
ステップＳ８１８において、制御信号処理部２２２は、IPフィルタ２５２とUDPフィルタ２５３によるフィルタリング処理によって抽出されたSMTを取得する。
【０２７９】
ステップＳ８１９において、IPフィルタ２５２は、フィルタリング処理を行う。すなわち、選局情報から得られるIPアドレスを用いたフィルタリング処理を行うことで、例えば、RTPセッションにより伝送される特定のサービスのコンポーネント(Audio/Video)、時刻情報(NTP)、及び、制御情報(MLS)を取得することができる。
【０２８０】
ステップＳ８２０において、サービスパッケージ部２２４は、IPフィルタ２５２により抽出されたコンポーネント(Audio/Video)、時刻情報(NTP)、及び、制御情報(MLS)をパッケージ化するためのパッケージ処理を行う。
【０２８１】
ステップＳ８２１において、サービスパッケージ部２２４は、パッケージ処理により得られた特定のサービスの番組録画情報をストレージ２２１に記録する。ステップＳ８２１の処理が終了すると、パッケージ録画処理は終了する。
【０２８２】
以上、パッケージ録画処理について説明した。
【０２８３】
（デパッケージ再生処理）
次に、図５６のフローチャートを参照して、図７の受信装置２０により実行されるデパッケージ再生処理について説明する。
【０２８４】
ステップＳ８６１においては、視聴者によって、ESG情報に応じた録画済みのサービスリストから特定のサービスが選択されたかどうかが判定される。視聴者により特定のサービスが選択されて、そのサービスの再生が指示されるのを待って、処理はステップＳ８６２に進められる。
【０２８５】
ステップＳ８６２において、サービスパッケージ部２２４は、ストレージ２２１から、特定のサービスの番組録画情報を読み出す。ステップＳ８６３において、サービスパッケージ部２２４は、ステップＳ８６２の処理で読み出した番組録画情報をデパッケージングして、サービス単位でパッケージ化されていたコンポーネント(Audio/Video)、時刻情報(NTP)、及び、制御信号(MLS)を取得し、IPフィルタ２５２に供給する。
【０２８６】
ステップＳ８６４において、IPフィルタ２５２及びUDPフィルタ２５３は、IPアドレスとポート番号を用いたフィルタリング処理を行い、NTP、ビデオデータ、オーディオデータを、クロック発生器２１４、ビデオデコーダ２１５、オーディオデコーダ２１７にそれぞれ供給する。
【０２８７】
ステップＳ８６５において、クロック発生器２１４は、UDPフィルタ２５３から供給されるNTPに基づいて、クロック信号を生成し、ビデオデコーダ２１５及びオーディオデコーダ２１７に供給する。
【０２８８】
ステップＳ８６６において、ビデオデコーダ２１５は、クロック発生器２１４から供給されるクロック信号に基づいて、UDPフィルタ２５３から供給されるビデオデータを復号し、ビデオ出力部２１６に供給する。ステップＳ８６７において、ビデオ出力部２１６は、ビデオデコーダ２１５から供給されるビデオデータをディスプレイに出力する。
【０２８９】
ステップＳ８６８において、オーディオデコーダ２１７は、クロック発生器２１４から供給されるクロック信号に基づいて、UDPフィルタ２５３供給されるオーディオデータを復号し、オーディオ出力部２１８に供給する。ステップＳ８６９において、オーディオ出力部２１８は、オーディオデコーダ２１７から供給されるオーディオデータをスピーカに供給する。
【０２９０】
このように、ビデオデータとオーディオデータは、クロック信号に従い、同期して復号されるため、ディスプレイに表示されているテレビ番組の映像に対応する音声が、スピーカから出力されることになる。ステップＳ８６９の処理が終了すると、デパッケージ再生処理は終了する。
【０２９１】
以上、デパッケージ再生処理について説明した。
【０２９２】
＜本技術を適用したコンピュータの説明＞
【０２９３】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０２９４】
図５７は、上述した一連の処理をプログラムにより実行するコンピュータのハードウェアの構成例を示すブロック図である。
【０２９５】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及びドライブ９１０が接続されている。
【０２９６】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２９７】
以上のように構成されるコンピュータ９００では、CPU９０１が、例えば、記録部９０８に記録されているプログラムを、入出力インターフェース９０５及びバス９０４を介して、RAM９０３にロードして実行することにより、上述した一連の処理が行われる。
【０２９８】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２９９】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０３００】
なお、コンピュータ９００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３０１】
ここで、本明細書において、コンピュータ９００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０３０２】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０３０３】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３０４】
なお、本技術の実施の形態は、上述した実施の形態に限定されるものではなく、本技術の要旨を逸脱しない範囲において種々の変更が可能である。例えば、本技術は、１つの機能を、ネットワークを介して複数の装置で分担、共同して処理するクラウドコンピューティングの構成をとることができる。
【０３０５】
また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０３０６】
なお、本技術は、以下のような構成をとることができる。
【０３０７】
（１）
IP(Internet Protocol)伝送方式を用いたデジタル放送の放送波を受信する受信部と、
前記放送波に含まれる複数のサービスのうち、特定のサービスを構成する１又は複数のコンポーネント及び制御信号を、各パケットに含まれるIPアドレスを用い、サービス単位でパッケージ化するパッケージ部と、
パッケージ化された前記コンポーネント及び前記制御信号を用い、所定の処理を行う処理部と
を備える受信装置。
（２）
同一のサービスとしてパッケージ化される、前記コンポーネントのパケットと前記制御信号のパケットとは、同一のIPアドレスを有する
（１）に記載の受信装置。
（３）
前記パッケージ部は、IP伝送方式におけるプロトコルの階層のうち、IP層よりも上位の階層である第１の階層で用いられる前記制御信号をパッケージ化する
（２）に記載の受信装置。
（４）
IP層よりも下位の階層である第２の階層で用いられる前記制御信号は、ネットワークを識別するID，トランスポートストリームを識別するID，及び、サービスを識別するIDを含んでいる
（３）に記載の受信装置。
（５）
前記制御信号は、セクション形式で送出される
（４）に記載の受信装置。
（６）
前記パッケージ部は、複数の前記コンポーネントの同期をとるための時刻情報をさらに含むようにパッケージ化する
（５）に記載の受信装置。
（７）
前記時刻情報は、複数のサービスで共通に用いられる
（６）に記載の受信装置。
（８）
同一のサービスとしてパッケージ化される、前記コンポーネント及び前記制御信号のパケットと、前記時刻情報のパケットとは、異なるIPアドレスを有する
（７）に記載の受信装置。
（９）
前記第１の階層で用いられる前記制御信号は、特定のサービスを構成する前記コンポーネントに関する情報を含む
（３）乃至（８）のいずれか一項に記載の受信装置。
（１０）
前記コンポーネントに関する情報は、UDPのポート番号を含み、
前記IPアドレスと前記ポート番号を用いたフィルタリングを行い、特定のサービスを構成する前記コンポーネントを抽出するフィルタ部をさらに備える
（９）に記載の受信装置。
（１１）
前記第１の階層で用いられる前記制御信号は、アプリケーションの制御情報を含む
（３）乃至（１０）のいずれか一項に記載の受信装置。
（１２）
前記第２の階層で用いられる前記制御信号は、複数のサービスごとにIPアドレスを対応付けた情報を含む
（４）乃至（１１）のいずれか一項に記載の受信装置。
（１３）
前記第２の階層で用いられる前記制御信号は、特定のサービスが放送中であるかを示す情報を含む
（１２）に記載の受信装置。
（１４）
所定のパケットのヘッダは、特定のサービスが放送中であるかを示す情報を配置している
（１２）に記載の受信装置。
（１５）
前記処理部は、パッケージ化された前記コンポーネント及び前記制御信号を記録部に記録する
（１）乃至（１４）のいずれか一項に記載の受信装置。
（１６）
前記処理部は、前記記録部に記録された前記コンポーネント及び前記制御信号を読み出して再生する
（１５）に記載の受信装置。
（１７）
前記処理部は、パッケージ化された前記コンポーネント及び前記制御信号を、他の電子機器に送信する
（１）乃至（１６）のいずれか一項に記載の受信装置。
（１８）
受信装置の受信方法において、
前記受信装置が、
IP伝送方式を用いたデジタル放送の放送波を受信し、
前記放送波に含まれる複数のサービスのうち、特定のサービスを構成する１又は複数のコンポーネント及び制御信号を、各パケットに含まれるIPアドレスを用い、サービス単位でパッケージ化し、
パッケージ化された前記コンポーネント及び前記制御信号を用い、所定の処理を行う
ステップを含む受信方法。
（１９）
１又は複数のコンポーネントを取得するコンポーネント取得部と、
制御信号を取得する制御信号取得部と、
特定のサービスを構成する前記コンポーネントのパケットと前記制御信号のパケットとが同一のIPアドレスを有するように、IP伝送方式を用いたデジタル放送の放送波を送信する送信部と
を備える送信装置。
（２０）
送信装置の送信方法において、
前記送信装置が、
１又は複数のコンポーネントを取得し、
制御信号を取得し、
特定のサービスを構成する前記コンポーネントのパケットと前記制御信号のパケットとが同一のIPアドレスを有するように、IP伝送方式を用いたデジタル放送の放送波を送信する
ステップを含む送信方法。
【符号の説明】
【０３０８】
１  放送システム，  １０  送信装置，  ２０  受信装置，  １１１  ビデオデータ取得部，  １１３  オーディオデータ取得部，  １１７  制御信号取得部，  １１９  ファイルデータ取得部，  １２１  Mux，  １２２  送信部，  ２１２  チューナ，  ２１３  Demux，  ２１４  クロック発生器，  ２１５  ビデオデコーダ，  ２１６  ビデオ出力部，  ２１７  オーディオデコーダ，  ２１８  オーディオ出力部，  ２１９  字幕デコーダ，  ２２０  FLUTE処理部，  ２２１  ストレージ，  ２２２  制御信号処理部，  ２２３  NVRAM，  ２２４  サービスパッケージ部，  ２２５  通信I/F，  ２２６  ブラウザ，  ２５１  GSEフィルタ，  ２５２  IPフィルタ，  ２５３  UDPフィルタ，  ２５４  セクションフィルタバンク，  ９００  コンピュータ，  ９０１  CPU
【図１】
2015073244.tif 000003
【図２】
2015073244.tif 000004
【図３】
2015073244.tif 000005
【図４】
2015073244.tif 000006
【図５】
2015073244.tif 000007
【図６】
2015073244.tif 000008
【図７】
2015073244.tif 000009
【図８】
2015073244.tif 000010
【図９】
2015073244.tif 000011
【図１０】
2015073244.tif 000012
【図１１】
2015073244.tif 000013
【図１２】
2015073244.tif 000014
【図１３】
2015073244.tif 000015
【図１４】
2015073244.tif 000016
【図１５】
2015073244.tif 000017
【図１６】
2015073244.tif 000018
【図１７】
2015073244.tif 000019
【図１８】
2015073244.tif 000020
【図１９】
2015073244.tif 000021
【図２０】
2015073244.tif 000022
【図２１】
2015073244.tif 000023
【図２２】
2015073244.tif 000024
【図２３】
2015073244.tif 000025
【図２４】
2015073244.tif 000026
【図２５】
2015073244.tif 000027
【図２６】
2015073244.tif 000028
【図２７】
2015073244.tif 000029
【図２８】
2015073244.tif 000030
【図２９】
2015073244.tif 000031
【図３０】
2015073244.tif 000032
【図３１】
2015073244.tif 000033
【図３２】
2015073244.tif 000034
【図３３】
2015073244.tif 000035
【図３４】
2015073244.tif 000036
【図３５】
2015073244.tif 000037
【図３６】
2015073244.tif 000038
【図３７】
2015073244.tif 000039
【図３８】
2015073244.tif 000040
【図３９】
2015073244.tif 000041
【図４０】
2015073244.tif 000042
【図４１】
2015073244.tif 000043
【図４２】
2015073244.tif 000044
【図４３】
2015073244.tif 000045
【図４４】
2015073244.tif 000046
【図４５】
2015073244.tif 000047
【図４６】
2015073244.tif 000048
【図４７】
2015073244.tif 000049
【図４８】
2015073244.tif 000050
【図４９】
2015073244.tif 000051
【図５０】
2015073244.tif 000052
【図５１】
2015073244.tif 000053
【図５２】
2015073244.tif 000054
【図５３】
2015073244.tif 000055
【図５４】
2015073244.tif 000056
【図５５】
2015073244.tif 000057
【図５６】
2015073244.tif 000058
【図５７】
2015073244.tif 000059